(57)【要約】【課題】現実世界における物・サービスに対する評価の付与を容易に実行できる。【解決手段】評価結果管理サーバ６は、評価時スキャン電波強度下限値よりも大きなビーコン電波信号ＢＳの電波源ＩＤを評価者端末２から受信した場合、同電波源ＩＤに対応付けされたアイテム画像と被評価者の展示中のリアル表示名の組合せを同評価者端末に提供する。評価者端末２は、評価結果管理サーバ６から提供されたアイテム画像と被評価者の展示中のリアル表示名の組合せをリスト表示しているときに評価対象物ＯＢに対する評価結果の入力操作がなされると、同評価対象物の属する電波源ＩＤと同評価対象物のアイテムＩＤならびに評価テンプレートＩＤと選択結果と同評価結果の入力時刻情報とを評価者のシステム会員ＩＤとともに評価結果管理サーバに自動転送し、加えて、評価者の許可時には評価者端末２の位置情報についても評価結果管理サーバ６に自動転送する。【選択図】図１
2018063459.tif 000002
【特許請求の範囲】
【請求項１】
評価を受ける対象となる評価対象物のうち少なくとも１つの評価対象物の中または同評価対象物の近傍に設置または保持される電波発信器であって、同評価対象物の管理者の存在を示すためのビーコン電波信号を無指向性の近距離無線通信により発信するビーコン発信器と、
ビーコン発信器製造者が使用する登録端末と、
前記評価対象物に対して評価結果を与える評価者が所有する携帯端末であってビーコン電波信号を検知可能な評価者端末と、
同評価対象物を管理する被評価者が所有する携帯端末であってビーコン電波信号を受信可能な被評価者端末と、
前記評価者端末および被評価者端末と無線接続される基地局であって同評価者端末および同被評価者端末が帰属する基地局と、
同基地局を介して評価者端末および被評価者端末と広域通信を行うとともに登録端末に対しても通信可能に接続されたサーバであって、評価者が評価対象物に与えた評価結果を評価者端末から受信する評価結果管理サーバと、
を有してなり、
システム内部で個々の会員を識別するためのシステム会員ＩＤ（Identifier）を評価者および被評価者それぞれに割当てて管理する評価フィードバックシステムであって、
個々のビーコン発信器を一意に識別するための電波源ＩＤ（Identifier）を含むビーコン電波信号を発信する前記ビーコン発信器と、
前記ビーコン発信器の外観を表すビーコン画像ないしはビーコン発信器が評価対象物に内蔵される場合には同評価対象物の外観を表す画像と、同ビーコン発信器が発信するビーコン電波信号の電波源ＩＤと、ビーコン発信器製造者のシステム会員ＩＤを評価結果管理サーバに送信することにより、電波源ＩＤの登録を評価結果管理サーバに対して請求する前記登録端末と、
周辺からのビーコン受信状況として特定の１台のビーコン発信器からのみビーコン電波信号を受信しており、かつ同ビーコン電波信号の受信電波強度が近接登録時電波強度下限値よりも大きいときにビーコン移管登録依頼を実行可能にするとともに、被評価者によるビーコン移管登録依頼操作を受付けたときに同ビーコン電波信号の電波源ＩＤを評価結果管理サーバに送信する前記被評価者端末と、
評価者の近傍電波源スキャン開始指示後、前記ビーコン電波信号を検知したときに、受信電波強度が評価時スキャン電波強度下限値よりも大きなビーコン電波信号の電波源ＩＤをすべて抽出して、登録されたビーコン製品情報に合致する電波源ＩＤのみを評価結果管理サーバに送信する前記評価者端末と、
を備え、
前記評価結果管理サーバは、
（１）ビーコン発信器製造者のシステム会員ＩＤとビーコン画像と電波源ＩＤを登録端末から受信した場合、これらビーコン発信器製造者のシステム会員ＩＤとビーコン画像と電波源ＩＤを対応付けて登録する動作を実行し、
（２）登録ずみの電波源ＩＤを被評価者端末から受信した後に、同被評価者端末ないしは電波源ＩＤの移管元となるビーコン発信器製造者の登録端末もしくは他の被評価者端末から移管対象の電波源ＩＤと移管先のシステム会員ＩＤと移管後における移管元の評価参照権限の有無を受信した場合、同電波源ＩＤに対して移管先のシステム会員ＩＤを対応付けてビーコン移管登録する動作を実行し、
（３）実際の評価対象物管理者を評価者が発見する手がかりとなるようなアイテム画像と、評価対象物を評価するときに評価者に対して公開される被評価者固有のリアル表示名とを被評価者端末から受信した場合、同被評価者の登録ずみのシステム会員ＩＤに同被評価者のリアル表示名とアイテム画像を対応付けて登録する動作を実行し、
（４）評価時スキャン電波強度下限値よりも大きなビーコン電波信号の電波源ＩＤを評価者端末から受信した場合、同電波源ＩＤに対応付けされたシステム会員ＩＤに基づいてアイテム画像と被評価者の展示中のリアル表示名の組合せを同評価者端末に提供する動作を実行し、
前記評価者端末は、
評価可能な評価対象物が評価者の近くに存在する旨を評価者に通知する動作と、
評価結果管理サーバから提供された評価対象物のアイテム画像と被評価者の展示中のリアル表示名を表示する動作と、
同評価結果管理サーバから提供されたアイテム画像と被評価者の展示中のリアル表示名の組合せをリスト表示しているときに評価対象物に対する評価結果の入力操作がなされると、同評価対象物の属する電波源ＩＤと同評価対象物のアイテムＩＤと評価テンプレートＩＤならびに評価結果と同評価結果の入力時刻情報とを評価結果管理サーバに自動転送し、加えて、同評価者のシステム会員ＩＤならびに評価者による許可が得られているときには評価者端末の位置情報についても評価結果管理サーバに自動転送する動作とを実行し、
前記評価結果管理サーバは、
評価対象物の属する電波源ＩＤと同評価対象物のアイテムＩＤと評価者のシステム会員ＩＤと評価結果と同評価結果の入力時刻情報とともに評価テンプレートＩＤを評価者端末から受信した場合、同評価テンプレートＩＤの種別に対応した動作を実行し、
評価参照権限の有無に応じて、評価対象物の流通過程（製造過程・販売過程）における電波源ＩＤの歴代移管元に対して同評価対象物の評価結果を提供する動作を実行する
ように構成されたことを特徴とする、評価フィードバックシステム。
【請求項２】
請求項１に記載の評価フィードバックシステムであって、
前記ビーコン電波信号に含まれる電波源ＩＤの一時捕捉操作が評価者により行われたときに、受信電波強度が評価時スキャン電波強度下限値よりも大きなビーコン電波信号から登録されたビーコン製品情報に合致する電波源ＩＤのみを抽出して照会用ＩＤ一時格納領域に保存するとともに、同照会用ＩＤ一時格納領域に保存した全電波源ＩＤと同電波源ＩＤの捕捉時刻と一時捕捉操作を行った評価者のシステム会員ＩＤと同評価者の承認があれば評価者端末の補足当時位置情報を評価結果管理サーバへ送信する前記評価者端末と、
前記一時捕捉操作を行った評価者のシステム会員ＩＤと捕捉時刻と電波源ＩＤを評価者端末から受信して、これら評価者のシステム会員ＩＤと捕捉時刻と電波源ＩＤをシステム登録し、さらに電波源ＩＤに対応する被評価者システム会員と当該会員が捕捉時点展示中のリアル表示名とアイテムＩＤとを対応付けて登録する前記評価結果管理サーバと、
を備え、
同評価者端末は、
（１）一時捕捉操作を行った評価者のシステム会員ＩＤと捕捉時刻と電波源ＩＤの送信以後に、評価者による事後評価開始操作に応じて事後評価の開始を評価結果管理サーバに通知する動作と、
（２）事後評価開始の通知に応じて評価結果管理サーバから送信されてきた被評価者関連情報に含まれる被評価者の展示中のリアル表示名と、アイテムＩＤに対応付けられたアイテム画像を年月日時分秒の順序でリスト表示する動作と、
（３）前記リスト表示された被評価者のうちから評価者が選択した被評価者が管理している評価対象物に対する評価結果の入力操作がなされると、同評価対象物のアイテムＩＤならびに評価結果を評価結果管理サーバに自動転送し、加えて、同評価者のシステム会員ＩＤについても評価結果管理サーバに自動転送する動作と、
を実行し、
同評価結果管理サーバは、
一時捕捉操作を行った評価者のシステム会員ＩＤと捕捉時刻と電波源ＩＤの登録実行後に評価者端末から事後評価の開始が通知された場合、一時捕捉された各電波源ＩＤにそれぞれ対応付けされた各被評価者の被評価者関連情報と各電波源ＩＤの捕捉時刻を同評価者端末に提供する動作、を実行する
ように構成されたことを特徴とする、評価フィードバックシステム。
【発明の詳細な説明】
【技術分野】
【０００１】
本発明は、現実世界において遭遇する物・サービスに対して評価結果を与える仕組を実現し、さらに同評価結果を電子データ形式で蓄積する評価フィードバックシステムに関する。
【背景技術】
【０００２】
近年ではＦａｃｅｂｏｏｋ（登録商標）・Ｔｗｉｔｔｅｒ（登録商標）などに代表されるＳＮＳ（Social Networking Service：ソーシャル・ネットワーキング・サービス）が広く浸透し、ＳＮＳのユーザ数も世界各国で増加の一途をたどっている。
このようなインターネットを通じて構築された人間関係（いわゆる「ネット社会」）ではリクエスト承認したユーザ間で、アップロードされた写真画像に対して賞賛の意を込めた好意的評価（俗にいう「いいね」）を付与することが日常的に行われている。
【０００３】
一方、我々が日常生活を営む実社会ないしは現実世界（俗にいう「リアルな世界」）においても、好感を抱くものに遭遇する機会は多々存在する。
たとえば街中を散策しているとき、たまたますれ違った他者の持物（例えば、携行しているバッグ、着用している衣服やアクセサリ）に気持を惹かれること等がある。
また外食に出かけたときに、とてもおいしい料理や心地よい雰囲気の飲食店にあたることもある。
【０００４】
しかし上述したようなリアルな世界における出来事では、たとえ他者の醸す雰囲気や所有物に好感を抱いたとしても、見ず知らずの相手と対面した状況で「そのバッグ、素敵ですね」とか「こちらの店内は、とても趣がありますね」といった具合に声をかけるには勇気が要り、評価を与える行為は心理的にかなりハードルが高いのが実情である。
口頭によるコミュニケーションでは円滑に運んだときは褒めた方・褒められた方ともにお互いとてもすがすがしい気持になれる反面、誤解のあったときにはせっかく好意的な気持を込めて評価的な言葉をかけたとしても、意図とは裏腹に不審に思われたり、誤解を招き却って相手の気分を害することすら起こりうる。
まして否定的な評価を下すことは相手を不愉快にさせるおそれが高く、相手がすぐ目の前にいる状況ではトラブルを招いたり、極端なケースでは事件にすら発展しかねない。
すなわち現時点ではリアルな世界で遭遇した評価対象物に対し同じくリアルな世界において評価する場合、口頭で直接相手に評価結果を伝えるほかに評価のしようがなく、評価をする側（評価者）から評価を受ける側（被評価者）に対して評価結果を安全に伝えることのできる評価手法が確立されていないのが現状である。
【０００５】
さらに評価を与えようとする評価者側では評価したいという気持を一方的に抱いていたとしても、評価対象物を管理する被評価者からすれば評価されることを望んでいないことも起こりうる。
しかしリアルな世界では初対面の相手に対して唐突に「あなたの持物について評価をしてもよいですか」と的外れな質問（意思確認）をするわけにもいかず、被評価者が評価されることを望んでいるかどうかを見分ける術がないのが現状である。
【０００６】
なおリアルな世界では、電子的に記録された情報を通じてコミュニケーションを図るインターネット内の環境とは異なり、評価対象物（バッグ・衣類など）に関する情報はあくまで同対象物を実際に目の当たりにした（直接的に視認した）ときに得られるだけであり評価対象物に関する情報は電子データに記録された状態にはない。
そのため評価対象物（例えば物品・人物・生物など）に遭遇したその瞬間に適時的に評価をしなければ（評価対象物の所有者に直接声をかける等）、その場を離れた後に追跡をしてみても同一の評価対象物を見つけ出すことは難しい。
【０００７】
またリアルな世界では他者から自己の持物をほめられる等の好意的な評価（発言や身振）を受けた場合でも、その評価された事実は声をかけられた所有者本人の体験・記憶として残るのみであり、そのような評価事実をたとえ幾度となく体験したとしても電子データのように客観的に証明できる形で評価結果が蓄積されることはない。
そのためリアルな世界では、せっかくの現実世界において受けた評価を、周囲に客観的に伝える術がないという問題点がある。
【０００８】
なおリアルな世界で遭遇した評価対象物にインターネットを通じて評価を与える手法としては、評価対象物から何らかの特定のキーワードを連想し、実物に遭遇した瞬間よりも事後的に検索エンジンで関連情報の掲載されたホームページを探し、評価ボタン（たとえば「いいね」ボタン）があれば同ボタンを押下することが考えられる。
また首尾よく評価対象物にＱＲ（Quick Response）コード（登録商標）が付与されているようであればカメラを介してＱＲコード（登録商標）を読取り、該当ホームページに移動してから評価を与えるといったことも考えられる。
しかし個人レベルの被評価者の場合、ＩＴ技術について相応の知識を兼ね備えたよほど用意周到な人物でもない限り、上述したようなインターネット検索やＱＲコード（登録商標）により評価対象物の電子データにアクセスできるよう準備を整えてあるケースは稀と考えられる。
【０００９】
なお評価対象物に対して評価結果を与える技術の例としては、以下のようなものが公知である（例えば、特許文献１参照。）。
同特許文献１の技術においては、評価デバイスが無線通信可能な評価対象を検出したときに評価者がその評価対象に対して評価を行いたい場合、特定動作（例えば、評価デバイスの操作）を実行する。
すると評価デバイスは、評価対象から受信したＩＤと無線基地局情報（無線通信局の識別情報・受信信号強度）をサーバに送信する。
サーバはＩＤを受信するごとに、同ＩＤを基に評価対象を識別して同評価対象に対する評価数をカウントアップする（同文献１・第１６段落）。
【先行技術文献】
【特許文献】
【００１０】
【特許文献１】特開２０１４−０２１７７１号公報
【非特許文献】
【００１１】
【非特許文献１】株式会社アイリッジ、“ｐｏｐｉｎｆｏ  位置連動配信プッシュ通知”、［online］、株式会社アイリッジ、［平成28年2月29日検索］、インターネット〈URL：https://popinfo.iridge.jp/〉
【発明の概要】
【発明が解決しようとする課題】
【００１２】
上記非特許文献１の技術によれば企業側に寄添った視点から開発されているため宣伝機能・広告機能で一貫しており、従来の広告宣伝手法である看板・チラシなどの媒体が電子主体に置き換わっただけであり、本質的機能については既存の宣伝・広告機能の域を出ないものである。
このような形態は消費者にとっては呼込のごとく受止められてしまうおそれもある。
【００１３】
「人はなぜファッションに気を遣うのか？」「なぜ商品を購入するのか？」といった消費者の動機・行動心理を考察すると、寒いからセーターを着るといった基本的な機能目的もある一方、現実としては「センスが良い」と社会から高い評価を受けることで自己肯定感・充足感を得たいという心理も少なからず働いているものと考えられる。
なお評価には、単に良い・悪いというような実利を伴わない感覚的なものから、投げ銭やチップのように実利（金銭その他の経済的価値を有する報酬の支払）を伴うものまでもが含まれる。
【００１４】
また今後さらに物が豊かな時代になり、情報通信技術の進展により情報配信もより一層盛んになるにつれ社会から高い評価を得たいという動機のもとに物品を選択・購入する消費傾向がますます強まり、「消費者」というよりも個々人が自己をアピールするために自分自身をコーディネートする「セルフプロデューサー」の時代にシフトしていくものと考えられる。
【００１５】
上述した技術のようにメーカのためにビッグデータを集める観点から開発された営業ツールは存在するものの、評価されたいという利用者のニーズを充足させるためのあくまで個人側を基軸として発想された評価の仕組（スキーム）は確立されていないのが現状である。
【００１６】
なお上述したような被評価者の被評価欲求を充足できる仕組・評価者の評価要求を充足できる仕組の確立も重要事項である一方、被評価者が携行している物品（製品）を製造するメーカに対し製品の改良・改善につながる評価データを提供することも需要者による消費の促進に資するものと考えられる。
ここでメーカが製品の評価データを収集する手法としては簡単に行えるものとして消費者アンケートが存在するものの、消費者アンケートでは製品購入者の主観的データしか収集することができなかった。
しかしながら製品の購入者が同製品を実際に使用しているときの「消費者本人以外の第三者による製品評価も収集」することができれば、メーカは客観的な評価内容をも参考にして物作りに反映することで、さらにニーズの高い魅力ある製品を作ることが可能になると想定される。
なぜなら一般的に購入者は、単に自分自身が評価するだけでなく周囲からも賞賛を得られるような他人も評価する商品を購入したがると考えられるからである。
【００１７】
本発明は上記の問題に鑑みてなされたものであり、現実世界（いわゆるリアル）における物・サービスに対する評価の付与を容易にできるような仕組の提供、ならびに、製品を製造するメーカに対して同製品の購入者による主観的な製品評価結果のみならず購入者本人以外の第三者による客観的な製品評価も収集できるような仕組を提供することを目的とする。
【課題を解決するための手段】
【００１８】
〔第１発明〕
そこで上記の課題を解決するために、本願の第１発明に係る評価フィードバックシステムは、
評価を受ける対象となる評価対象物のうち少なくとも１つの評価対象物の中または同評価対象物の近傍に設置または保持される電波発信器であって、同評価対象物の管理者の存在を示すためのビーコン電波信号を無指向性の近距離無線通信により発信するビーコン発信器と、
ビーコン発信器製造者が使用する登録端末と、
前記評価対象物に対して評価結果を与える評価者が所有する携帯端末であってビーコン電波信号を検知可能な評価者端末と、
同評価対象物を管理する被評価者が所有する携帯端末であってビーコン電波信号を受信可能な被評価者端末と、
前記評価者端末および被評価者端末と無線接続される基地局であって同評価者端末および同被評価者端末が帰属する基地局と、
同基地局を介して評価者端末および被評価者端末と広域通信を行うとともに登録端末に対しても通信可能に接続されたサーバであって、評価者が評価対象物に与えた評価結果を評価者端末から受信する評価結果管理サーバと、
を有してなり、
システム内部で個々の会員を識別するためのシステム会員ＩＤ（Identifier）を評価者および被評価者それぞれに割当てて管理する評価フィードバックシステムであって、
個々のビーコン発信器を一意に識別するための電波源ＩＤ（Identifier）を含むビーコン電波信号を発信する前記ビーコン発信器と、
前記ビーコン発信器の外観を表すビーコン画像ないしはビーコン発信器が評価対象物に内蔵される場合には同評価対象物の外観を表す画像と、同ビーコン発信器が発信するビーコン電波信号の電波源ＩＤと、ビーコン発信器製造者のシステム会員ＩＤを評価結果管理サーバに送信することにより、電波源ＩＤの登録を評価結果管理サーバに対して請求する前記登録端末と、
周辺からのビーコン受信状況として特定の１台のビーコン発信器からのみビーコン電波信号を受信しており、かつ同ビーコン電波信号の受信電波強度が近接登録時電波強度下限値よりも大きいときにビーコン移管登録依頼を実行可能にするとともに、被評価者によるビーコン移管登録依頼操作を受付けたときに同ビーコン電波信号の電波源ＩＤを評価結果管理サーバに送信する前記被評価者端末と、
評価者の近傍電波源スキャン開始指示後、前記ビーコン電波信号を検知したときに、受信電波強度が評価時スキャン電波強度下限値よりも大きなビーコン電波信号の電波源ＩＤをすべて抽出して、登録されたビーコン製品情報に合致する電波源ＩＤのみを評価結果管理サーバに送信する前記評価者端末と、
を備え、
前記評価結果管理サーバは、
（１）ビーコン発信器製造者のシステム会員ＩＤとビーコン画像と電波源ＩＤを登録端末から受信した場合、これらビーコン発信器製造者のシステム会員ＩＤとビーコン画像と電波源ＩＤを対応付けて登録する動作を実行し、
（２）登録ずみの電波源ＩＤを被評価者端末から受信した後に、同被評価者端末ないしは電波源ＩＤの移管元となるビーコン発信器製造者の登録端末もしくは他の被評価者端末から移管対象の電波源ＩＤと移管先のシステム会員ＩＤと移管後における移管元の評価参照権限の有無を受信した場合、同電波源ＩＤに対して移管先のシステム会員ＩＤを対応付けてビーコン移管登録する動作を実行し、
（３）実際の評価対象物管理者を評価者が発見する手がかりとなるようなアイテム画像と、評価対象物を評価するときに評価者に対して公開される被評価者固有のリアル表示名とを被評価者端末から受信した場合、同被評価者の登録ずみのシステム会員ＩＤに同被評価者のリアル表示名とアイテム画像を対応付けて登録する動作を実行し、
（４）評価時スキャン電波強度下限値よりも大きなビーコン電波信号の電波源ＩＤを評価者端末から受信した場合、同電波源ＩＤに対応付けされたシステム会員ＩＤに基づいてアイテム画像と被評価者の展示中のリアル表示名の組合せを同評価者端末に提供する動作を実行し、
前記評価者端末は、
評価可能な評価対象物が評価者の近くに存在する旨を評価者に通知する動作と、
評価結果管理サーバから提供された評価対象物のアイテム画像と被評価者の展示中のリアル表示名を表示する動作と、
同評価結果管理サーバから提供されたアイテム画像と被評価者の展示中のリアル表示名の組合せをリスト表示しているときに評価対象物に対する評価結果の入力操作がなされると、同評価対象物の属する電波源ＩＤと同評価対象物のアイテムＩＤと評価テンプレートＩＤならびに評価結果と同評価結果の入力時刻情報とを評価結果管理サーバに自動転送し、加えて、同評価者のシステム会員ＩＤならびに評価者による許可が得られているときには評価者端末の位置情報についても評価結果管理サーバに自動転送する動作とを実行し、
前記評価結果管理サーバは、
評価対象物の属する電波源ＩＤと同評価対象物のアイテムＩＤと評価者のシステム会員ＩＤと評価結果と同評価結果の入力時刻情報とともに評価テンプレートＩＤを評価者端末から受信した場合、同評価テンプレートＩＤの種別に対応した動作を実行し、
評価参照権限の有無に応じて、評価対象物の流通過程（製造過程・販売過程）における電波源ＩＤの歴代移管元に対して同評価対象物の評価結果を提供する動作を実行する構成とした。
【００１９】
第１発明の評価フィードバックシステムによれば、無指向性のビーコン発信器１固有の電波源ＩＤを被評価者と対応付けておき、被評価者がビーコン発信器１を評価対象物ＯＢの近傍に設置ないしは保持することで（図１参照）、現実世界において評価者が実際の評価対象物ＯＢを視認し即座に評価できるようなスキームが実現される。
【００２０】
既存の電子タグではかなり近づかないと読取れないという問題点があるものの第１発明によれば、リアルな世界において評価者が評価対象物ＯＢと適度な距離（例えば、数十メートル程度）を置いていても同対象物ＯＢを「容易に且つ即座に評価」することができる。
評価者が評価を行う際に、評価者あるいは被評価者は双方ともに必ずしも定位置に静止している必要はなく、歩行移動中などであっても評価の実施が可能である。
【００２１】
なおインターネットを介して情報を収集できる状況下であれば、上述したように評価行為自体も容易にできる素地が整っている。
しかしながら何らかの情報が電磁的に記録された状態になく評価ボタンによる評価行為も実施できない評価対象物ＯＢについては、リアルな世界で出くわしたとしても評価の態様も限定的なものとなってしまう。
このような場合でも本願の第１発明によれば、突然（偶発的に）たまたま出会ったもの・目にしたものを評価したい人あるいは評価してもらいたい人の潜在的なニーズ・実現要求を叶えることができる。
また適切なキーワードが分からないためにインターネット検索してもリアルな世界において遭遇した同一対象の情報にアクセスできないケース、ないしはキーワードは分かっているものの同一物にたどり着くまでに煩雑な手間がかかってしまうケースでも即座に且つ容易に評価することができる。
なお本例において「展示」とは、評価対象物ＯＢに対する評価を付与できるようにすることを指す。
本願における「評価」とは、単なる評価得点などによる、実利を伴わない評価だけではなく、例えば路上パフォーマーに対する投げ銭のような実利を伴う形態への応用も可能である。
その場合、評価テンプレートＩＤに意味づけを持たせておき、被評価者によって特定のＩＤが設定された場合には、評価者により選択された数字は評価点ではなく、評価者から被評価者に移転される実利性のある経済的価値量と解釈（認識）し、対応する動作機能を評価結果管理サーバ６に実装するよう構成する事も可能である。実利性（経済的価値）のある報酬の例としてはデジタル通貨がある。その場合、被評価者は通貨の受け入れ先アドレスを事前にプロフィールに登録しておく必要がある。
【００２２】
また本願の第１発明によればリアルな物・サービスに対して評価を容易に実施できることにより、製品・サービスの宣伝・広告・改善が進む。
さらに本願の第１発明によれば、幅広い方式の電波発信機器をビーコン発信器１として採用することが可能となる。
なおセキュリティ上の理由からＳＳＩＤ（Service Set Identifier：無線ＬＡＮ（Local Area Network）におけるアクセスポイントの識別名）等を公開したくない場合は、単にビーコン機能のみを有するビーコン発信器１を採用することもできる。
ただしビーコン電波信号ＢＳの発信によって電波源ＩＤは公開される。ビーコン電波信号ＢＳを発信してなければ評価対象物ＯＢの存在を他人に知られることがないため、評価対象として認識してもらえないからである。しかし評価対象物ＯＢ全てがビーコン発信器１を有する必要はなく、被評価者が展示する評価対象物ＯＢのうち少なくとも一つがビーコン発信器１を有すればよい。図１の例では１台のビーコン発信器１が発するビーコン電波信号ＢＳにより、３つの評価対象物ＯＢ−１〜ＯＢ−３の存在を示すことができる。
なお電波源ＩＤは公開を前提とするため、同じ電波源ＩＤを発信する電波源（ビーコン発信器１）を作ることができ他者による被評価者のなりすましが可能である。このような事態を排除するために、ビーコン発信器製造者がビーコン発信器１の製造後、即座に評価結果管理サーバ６に登録することにより「同一の電波源ＩＤの後追い登録を不可能」としている。
ビーコン発信器製造者によるビーコン登録（電波源ＩＤの登録）後は、移管元と移管先の合意のもと移管操作により電波源ＩＤの移管が行われる仕組としている。
【００２３】
〔第２発明〕
本願の第２発明に係る評価フィードバックシステムは、第１発明に係る評価フィードバックシステムであって、
前記ビーコン電波信号に含まれる電波源ＩＤの一時捕捉操作が評価者により行われたときに、受信電波強度が評価時スキャン電波強度下限値よりも大きなビーコン電波信号から登録されたビーコン製品情報に合致する電波源ＩＤのみを抽出して照会用ＩＤ一時格納領域に保存するとともに、同照会用ＩＤ一時格納領域に保存した全電波源ＩＤと同電波源ＩＤの捕捉時刻と一時捕捉操作を行った評価者のシステム会員ＩＤと同評価者の承認があれば評価者端末の補足当時位置情報を評価結果管理サーバへ送信する前記評価者端末と、
前記一時捕捉操作を行った評価者のシステム会員ＩＤと捕捉時刻と電波源ＩＤを評価者端末から受信して、これら評価者のシステム会員ＩＤと捕捉時刻と電波源ＩＤをシステム登録し、さらに電波源ＩＤに対応する被評価者システム会員と当該会員が捕捉時点展示中のリアル表示名とアイテムＩＤとを対応付けて登録する前記評価結果管理サーバと、
を備え、
同評価者端末は、
（１）一時捕捉操作を行った評価者のシステム会員ＩＤと捕捉時刻と電波源ＩＤの送信以後に、評価者による事後評価開始操作に応じて事後評価の開始を評価結果管理サーバに通知する動作と、
（２）事後評価開始の通知に応じて評価結果管理サーバから送信されてきた被評価者関連情報に含まれる被評価者の展示中のリアル表示名と、アイテムＩＤに対応付けられたアイテム画像を年月日時分秒の順序でリスト表示する動作と、
（３）前記リスト表示された被評価者のうちから評価者が選択した被評価者が管理している評価対象物に対する評価結果の入力操作がなされると、同評価対象物のアイテムＩＤならびに評価結果を評価結果管理サーバに自動転送し、加えて、同評価者のシステム会員ＩＤについても評価結果管理サーバに自動転送する動作と、
を実行し、
同評価結果管理サーバは、
一時捕捉操作を行った評価者のシステム会員ＩＤと捕捉時刻と電波源ＩＤの登録実行後に評価者端末から事後評価の開始が通知された場合、一時捕捉された各電波源ＩＤにそれぞれ対応付けされた各被評価者の被評価者関連情報と各電波源ＩＤの捕捉時刻を同評価者端末に提供する動作、を実行する構成とした。
【００２４】
第２発明によれば、評価者が同対象物ＯＢに実際に遭遇した場合において「評価を行っている時間的余裕がない」もしくは「被評価者のリアル表示名ＲＮを特定している余裕がない」ときに、評価者の近傍にいるシステム会員管理の電波源ＩＤを一時捕捉（一時的に記録保存）しておくことができる。
そして一時捕捉した電波源ＩＤに基づいて被評価者関連情報（被評価者の捕捉時点展示中のリアル表示名ＲＮ、評価対象物ＯＢが写り込んだアイテム画像ＩＭ、評価テンプレート配置画像）を評価結果管理サーバ６から取得し、被評価者関連情報を手がかりに事後的に評価対象物ＯＢを特定して同対象物ＯＢを後日評価することができる。
なお本発明の評価フィードバックシステムでは評価者が評価対象物ＯＢに遭遇した場合、評価者端末においてまず評価対象物ＯＢが属する被評価者を特定した後に、当該被評価者に属し且つ展示モードがオンになっているアイテム（被評価者の近傍に在ることが期待される対象物）を表示することで、ビーコン発信器１の取付けられていないアイテムも評価できる仕組になっている。
【図面の簡単な説明】
【００２５】
【図１】評価フィードバックシステムの全体構成を示すブロック図である。
【図２】評価者端末の電気的構成を示すブロック図である。
【図３】（ａ）電波源ＩＤ検知手段の電気的構成を示すブロック図である。（ｂ）即時評価手段の電気的構成を示すブロック図である。（ｃ）電波源ＩＤ一時捕捉手段の電気的構成を示すブロック図である。（ｄ）カメラ捕捉手段の電気的構成を示すブロック図である。（ｅ）事後評価手段の電気的構成を示すブロック図である。
【図４】被評価者端末の電気的構成を示すブロック図である。
【図５】（ａ）ビーコン移管登録申請手段の電気的構成を示すブロック図である。（ｂ）ビーコン移管登録承認手段の電気的構成を示すブロック図である。
【図６】登録端末の電気的構成を示すブロック図である。
【図７】ビーコン移管承認手段の電気的構成を示すブロック図である。
【図８】評価結果管理サーバの電気的構成を示すブロック図である。
【図９】（ａ）ビーコン登録手段の電気的構成を示すブロック図である。（ｂ）ビーコン移管登録手段の電気的構成を示すブロック図である。（ｃ）捕捉情報管理手段の電気的構成を示すブロック図である。
【図１０】システム会員登録情報のデータ構造の一例を示す図である。
【図１１】ビーコン登録情報のデータ構造の一例を示す図であって、（ａ）はビーコン登録エントリ追加前の状態、（ｂ）はビーコン登録エントリ追加後の状態、（ｃ）は移管登録による更新後の状態である。
【図１２】移管履歴情報のデータ構造の一例を示す図である。
【図１３】評価対象設定情報のデータ構造の一例を示す図である。
【図１４】参照権限情報のデータ構造の一例を示す図である。
【図１５】アイテム評価登録情報のデータ構造の一例を示す図である。
【図１６】総合評価登録情報のデータ構造の一例を示す図である。
【図１７】（ａ）評価テンプレート情報のデータ構造の一例を示す図である。（ｂ）展示期間情報のデータ構造の一例を示す図である。
【図１８】捕捉情報のデータ構造の一例を示す図である。
【図１９】被評価者端末・評価者端末におけるシステム会員登録画面の一例を示す図である。
【図２０】被評価者端末におけるリアル表示名登録画面の一例を示す図である。
【図２１】登録端末におけるビーコン登録画面の一例を示す図である。
【図２２】ビーコン製品情報のデータ構造の一例を示す図である。
【図２３】ビーコン等の電波源ＩＤ登録時における各構成要素の動作を示すシーケンス図である。
【図２４】被評価者端末におけるビーコン受信状況通知画面の一例を示す図である。
【図２５】移管先の被評価者端末におけるビーコン登録移管申込画面の一例を示す図である。
【図２６】移管先の被評価者端末におけるビーコン登録移管依頼画面の一例を示す図である。
【図２７】電波源ＩＤの移管元端末におけるビーコン移管申込通知画面の一例を示す図である。
【図２８】電波源ＩＤの移管元端末におけるビーコン移管設定画面の一例を示す図である。
【図２９】電波源ＩＤのビーコン移管登録時において、移管作業を移管元にて行うときの各構成要素の動作を示すシーケンス図である。
【図３０】電波源ＩＤを移管可能なビーコン発信器を検出するときの被評価者端末の動作を示すフローチャートである。
【図３１】移管先の被評価者端末におけるビーコン移管設定画面の一例を示す図である。
【図３２】電波源ＩＤのビーコン移管登録時において、移管作業を移管先にて行うときの各構成要素の動作を示すシーケンス図である。
【図３３】被評価者端末におけるアイテム登録画面の一例を示す図である。
【図３４】アイテム登録・変更申請時における各構成要素の動作を示すシーケンス図である。
【図３５】被評価者端末における評価実行設定画面の一例を示す図である。
【図３６】被評価者端末における展示不可通知画面の一例を示す図である。
【図３７】被評価者端末における歴代移管元参照画面の一例を示す図である。
【図３８】被評価者端末における歴代移管元一覧画面の一例を示す図である。
【図３９】評価者端末におけるスキャンモード設定画面の第１の例を示す図である。
【図４０】展示モードがオフのときの、ビーコン登録判定時における各構成要素の動作を示すシーケンス図である。
【図４１】評価者端末における対象物通知画面の一例を示す図である。
【図４２】評価者端末における被評価者一覧画面の一例を示す図である。
【図４３】評価者端末における対象物評価入力画面の一例を示す図である。
【図４４】即時評価時における各構成要素の動作を示すシーケンス図である。
【図４５】即時評価の際に電波源ＩＤを送信するときの評価者端末の動作を示すフローチャートである。
【図４６】評価者端末におけるスキャンモード設定画面の第２の例を示す図である。
【図４７】評価者端末における捕捉完了画面の一例を示す図である。
【図４８】電波源ＩＤの一時捕捉時における各構成要素の動作を示すシーケンス図である。
【図４９】電波源ＩＤを一時捕捉するときの評価者端末の動作を示すフローチャートである。
【図５０】一時捕捉された電波源ＩＤを登録するときの評価結果管理サーバの動作を示すフローチャートである。
【図５１】評価者端末における事後評価開始画面の一例を示す図である。
【図５２】電波源ＩＤの一時捕捉後に事後評価を行うときの各構成要素の動作を示すシーケンス図である。
【図５３】評価者端末における被評価者検索画面の一例を示す図である。
【図５４】評価参照権限を有する移管元端末における評価結果参照画面の一例を示す図である。
【図５５】評価者端末におけるスキャンモード設定画面の第３の例を示す図である。
【図５６】評価者端末におけるカメラ捕捉画面の一例を示す図である。
【図５７】カメラ捕捉時における各構成要素の動作を示すシーケンス図である。
【図５８】カメラ捕捉するときの評価者端末の動作を示すフローチャートである。
【図５９】スナップ画像とともに一時捕捉された電波源ＩＤを登録するときの評価結果管理サーバの動作を示すフローチャートである。
【図６０】評価者端末におけるスナップ画像検索画面の一例を示す図である。
【図６１】評価者端末における被評価者検索画面の一例を示す図である。
【図６２】カメラ捕捉後に事後評価を行うときの各構成要素の動作を示すシーケンス図である。
【図６３】評価者端末における評価参照アイテム選択画面の一例を示す図である。
【図６４】評価者端末における評価結果参照画面の一例を示す図である。
【図６５】評価者端末における評価結果参照者選択画面の一例を示す図である。
【図６６】評価者端末における評価参照対象物選択画面の一例を示す図である。
【図６７】評価者端末における被評価者検索画面の変形例を示す図であって、（ａ）は捕捉時刻の一覧を示す図、（ｂ）は被評価者の一覧を示す図である。
【発明を実施するための形態】
【００２６】
以下、本発明の評価フィードバックシステムについて説明する。
［実施形態］
本発明の実施形態は、システム内部で個々の会員を識別するためのシステム会員ＩＤ（Identifier）を評価者および被評価者それぞれに割当てて評価結果管理サーバ６により管理する評価フィードバックシステム１００の構成例である。
以下、この内容について詳しく説明する。
なお本例では、本システム１００をファッションの宣伝・評価に適用したケースを例に挙げて説明する。下記説明例における評価は、実利を伴わないケースを想定している。
【００２７】
評価フィードバックシステム１００は図１に示すように、任意の台数のビーコン発信器１と、評価者端末２と、被評価者端末３と、基地局４と、登録端末５と、評価結果管理サーバ６とを、公衆通信回線２００（電気通信回線）を介して通信可能な状態で接続したシステムである。
本例では、評価結果管理サーバ６については評価フィードバックサービスのスキーム（仕組）を提供するクラウドサービス運営者が所有するものとして説明する。
なおインターネット等の公衆通信回線２００を採用する場合には、例えばＳＳＬ（Secure Sockets Layer）技術等を利用すればセキュリティレベルを高く確保可能である。
【００２８】
ビーコン発信器１は、評価を受ける対象となる評価対象物ＯＢ（図１の例ではＯＢ−１〜ＯＢ−３）のうち少なくとも１つの評価対象物ＯＢの中または同評価対象物ＯＢの近傍に設置または保持される電波発信器である。
評価フィードバックシステム１００においては、同システム１００に登録されているビーコン発信器１の機種が同システムの運営主体によってあらかじめ選定されている。
本例において被評価者は、評価結果管理サーバ６にビーコン登録したビーコン発信器１（ビーコン、ポケットＷｉ−Ｆｉなど）を所持している。
ここで評価対象物ＯＢの具体例としては、評価を受ける物品、人物、ペットをはじめとする生物などが挙げられる。
評価対象物ＯＢが物品である場合、同対象物ＯＢは（１）被評価者（同対象物ＯＢを製造するメーカないしは被評価者個人）自身が作ったものでもよく、また（２）被評価者が購入した物品または被評価者が他人から譲り受けた物品ないしは貸与された物品でもよい。
【００２９】
上記評価対象物ＯＢに対するビーコン発信器１の設置主体に関しては（１）被評価者が同対象物ＯＢに取付（設置）を行うケースと、（２）製造段階においてメーカなどの製造者が同対象物ＯＢにあらかじめ取付けるケース、の２通りが想定される。
なお評価対象物ＯＢの製造段階で同対象物ＯＢにビーコン発信器１を取付ける場合、実際の評価開始前までに「ビーコン登録の移管」（ビーコン発信器製造者によりビーコン登録ずみの電波源ＩＤと、同電波源ＩＤを先登録者（移管元）から譲り受けた被評価者の間の対応関係の設定）を完了しておくことが必要となる。
【００３０】
上述のビーコン発信器１は、評価対象物ＯＢの管理者の存在を示すためのビーコン電波信号ＢＳを無指向性の近距離無線通信により発信する。
ここでビーコン発信器１が発信するビーコン電波信号ＢＳには、個々のビーコン発信器１を一意に識別するための「電波源ＩＤ」が含まれている。
より詳細には電波源ＩＤは、ビーコン発信器１の製造段階においてビーコン発信器製造者により付与される一意の識別番号である。なお電波源ＩＤが評価結果管理サーバ６に登録済みのものと同一の場合、ビーコン発信器製造者は評価フィードバックシステム１００内における電波源ＩＤの一意性が確保されるように、電波源ＩＤを変更した上で再登録しておく必要がある。
上記「近距離無線通信」を実現する技術の一具体例としては、Ｂｌｕｅｔｏｏｔｈ（登録商標）の拡張仕様の１つであって極低電力での通信が可能なＢＬＥ（Bluetooth（登録商標） Low Energy）が挙げられる。
【００３１】
評価者端末２は、評価対象物ＯＢ（被評価者が評価されることを希望する対象）に対して評価結果を与える評価者が所有する携帯端末であり、ビーコン発信器１が発信したビーコン電波信号ＢＳを検知（受信）可能に構成されている。
評価者端末２は評価者の近傍電波源スキャン開始指示後において、登録されたビーコン製品情報ＢＣ（図２２）に基づいてスキャンした結果ビーコン電波信号ＢＳを検知したときに、受信電波強度が「評価時スキャン電波強度下限値」よりも大きなビーコン電波信号ＢＳの電波源ＩＤをすべて抽出して評価結果管理サーバ６に送信する。
その後、評価者端末２は、評価結果管理サーバ６から電波源ＩＤに対応付けされたシステム会員ＩＤに基づいてシステム会員の「被評価者関連情報」（アイテム画像ＩＭや被評価者の展示中のリアル表示名ＲＮなど）が提供されると（図４４・ステップＳ４１７）、評価可能な評価対象物ＯＢが評価者の近くに存在する旨を評価者に通知する（図４１、図４４・ステップＳ４１８）。
【００３２】
評価者端末２は、評価結果管理サーバ６から提供されたアイテム画像ＩＭと被評価者の展示中のリアル表示名ＲＮの組合せをリスト表示（図４２、図４４・ステップＳ４２０）しているときに評価対象物ＯＢに対する評価結果の入力操作（即時評価）がなされると、同評価対象物ＯＢの属する電波源ＩＤ・同対象物ＯＢのアイテムＩＤ・評価テンプレートＩＤならびに評価結果・同評価結果の入力時刻情報を評価結果管理サーバ６に自動転送し、加えて、評価者のシステム会員ＩＤならびに同評価者による許可が得られているときには評価者端末２の位置情報についても評価結果管理サーバ６に自動転送する。
また電波源ＩＤが評価結果管理サーバ６のビーコン登録情報６２１（例えば図１１（ｃ））に登録されていないときは、電波源ＩＤがビーコン登録されていない旨が評価結果管理サーバ６から評価者端末２に通知される。
【００３３】
評価者端末２は、ビーコン電波信号に含まれる電波源ＩＤの「一時捕捉操作」が評価者により行われたときは、登録されたビーコン製品情報ＢＣに記載の周波数をスキャンし、受信電波強度が「評価時スキャン電波強度下限値」よりも大きなビーコン電波信号を検知した際は、電波源ＩＤを抽出して照会用ＩＤ一時格納領域２２０に保存する。
それとともに評価者端末２は「捕捉情報」（照会用ＩＤ一時格納領域２２０に保存した全電波源ＩＤと、同電波源ＩＤの捕捉時刻と、評価者端末２の補足当時位置情報（評価者の承認時）と、一時捕捉操作を行った評価者のシステム会員ＩＤ）を評価結果管理サーバ６へ送信する。
【００３４】
さらに評価者端末２は、一時捕捉操作を行った評価者のシステム会員ＩＤと捕捉時刻と電波源ＩＤの送信以後に、評価者による事後評価開始操作（図５１）に応じて「事後評価の実行」を評価結果管理サーバ６に通知する。
また評価者端末２は、事後評価開始の通知に応じて評価結果管理サーバ６から送信されてきた「被評価者関連情報」（本例では、被評価者の展示中のリアル表示名・シンボル画像など）に含まれる被評価者の展示中のリアル表示名ＲＮと、アイテムＩＤに対応付けられたアイテム画像ＩＭを年月日時分秒の順序でリスト表示する（図５３参照）。
そして評価者端末２は、リスト表示された年月日時分秒および被評価者のうちから、評価者が選択した評価対象物ＯＢ（被評価者が管理しているもの）に対する評価結果の入力操作がなされると（事後評価）、同対象物ＯＢのアイテムＩＤ・同対象物ＯＢの評価結果を、評価結果管理サーバ６に自動転送する。
加えて評価者端末２は、同評価者のシステム会員ＩＤについても評価結果管理サーバ６に自動転送する。
なお電波源ＩＤを一時捕捉する際、評価者が評価対象物ＯＢのスナップ画像ＰＴを毎回撮像することは不要であり、評価者が事後的に同評価対象物ＯＢを評価する際に同対象物ＯＢを検索（特定）するための「備忘録が必要なときに適宜スナップ画像ＰＴを撮影」すればよい。
【００３５】
登録端末５は、ビーコン発信器製造者が使用する端末である。
登録端末５は、ビーコン発信器１の外観を表す「ビーコン画像」（ないしは、ビーコン発信器１が評価対象物ＯＢに内蔵される場合には同対象物ＯＢの外観を表す画像）と、同発信器１が発信するビーコン電波信号ＢＳの電波源ＩＤと、ビーコン製品情報ＢＣ（既に同種類のビーコン発信器製品が登録されているときは不要）と、ビーコン発信器製造者のシステム会員ＩＤを評価結果管理サーバ６に送信する。
これにより登録端末５は、電波源ＩＤの登録（ビーコン登録）を評価結果管理サーバ６に対して請求する。
ここで「ビーコン登録」とは、まだ評価結果管理サーバ６への登録がなされていない電波源ＩＤを同サーバ６に「新規に登録すること」を指す。
この「ビーコン登録」は、ビーコン画像（ないしはビーコン発信器１が内蔵された評価対象物ＯＢの外観画像）と、ビーコン発信器製造者に与えられたシステム会員ＩＤと、同ビーコン発信器製造者が製造したビーコン発信器１の電波源ＩＤ（いまだ評価結果管理サーバ６に登録されていないもの）を対応付けることで実現される。
【００３６】
被評価者端末３は、評価対象物ＯＢを管理する被評価者が所有する携帯端末であり、ビーコン電波信号ＢＳを受信可能に構成されている。
被評価者端末３は（１）周辺からのビーコン受信状況として特定の１台のビーコン発信器１からのみビーコン電波信号ＢＳを受信しており、かつ（２）同信号ＢＳの受信電波強度が近接登録時電波強度下限値よりも大きいときに、被評価者によるビーコン移管登録（ビーコン発信器１から発信される電波源ＩＤ登録の管理移譲）を許可する。
ここで「ビーコン移管登録」とは、本システム１００においてビーコン登録がなされた電波源ＩＤの所有者を移管元の名義から移管先の名義に変更することを指す。
本例ではビーコン移管登録処理として、ビーコン登録の移管先となる被評価者に与えられたシステム会員ＩＤと、同被評価者がビーコン移管登録依頼を行ったビーコン発信器１の電波源ＩＤが対応付けて評価結果管理サーバ６に登録される。
移管先の被評価者端末３には、移管元が所有する電波源ＩＤの取得（移管）を希望する被評価者からのビーコン移管登録依頼操作を受付けるべく「ビーコン登録移管申込画面」（図２５）が表示される。
【００３７】
なお本例ではビーコン移管登録条件の１つとして「被評価者端末３がビーコン発信器１から受信しているビーコン電波信号ＢＳの電波強度が、ある一定値（近接登録時電波強度下限値）よりも大きいこと」が課されている。
その理由は、ビーコン登録の移管を希望する被評価者がビーコン発信器１のごく近距離に被評価者端末３を近づけた状況下でビーコン移管を申請させることにより、ビーコン移管の申請者がビーコン発信器移管希望者（被評価者端末３の所有者）本人である可能性が高まるからである。
【００３８】
また本例ではもう１つのビーコン移管登録条件として「被評価者端末３のビーコン受信状況が、特定の１台のビーコン発信器１からのみビーコン電波信号ＢＳを受信する状況になること」が課されている。
その理由は、ビーコン移管の申請者がビーコン発信器１の保有者本人であるならば同発信器１の配置を自由に移設することができるため、移管を希望するビーコン発信器１のみから被評価者端末３がビーコン電波信号ＢＳを受信している状況も作り出すことが可能と考えられるからである。
そのため本例では被評価者端末３が複数台のビーコン発信器１からそれぞれ近接登録時電波強度下限値よりも大きな受信電波強度でビーコン電波信号ＢＳを受信している場合、その旨が警告され（図２４）、全ての移管登録条件が揃うまでビーコン移管登録申請操作を行うための画面（図２５）は表示されない。
そのため被評価者端末３が複数台のビーコン発信器１からビーコン電波信号ＢＳを受信している場合、被評価者は特定の１台のビーコン発信器１（ビーコン移管しようとしている電波源ＩＤが割当てられたビーコン発信器１）を除くその他のビーコン発信器を被評価者端末３の周囲から排除（移動）する必要がある。
【００３９】
また被評価者端末３は、被評価者による「ビーコン移管登録依頼操作」を受付けたときに受信電波強度が近接登録時電波強度下限値よりも大きなビーコン電波信号ＢＳに含まれる電波源ＩＤを評価結果管理サーバ６に送信する。
本例における「ビーコン移管登録依頼操作」は、ビーコン登録移管申込画面（図２５）において「ビーコン移管登録申請」ボタンを押下する操作が該当する。
【００４０】
図１の基地局４は、評価者端末２および被評価者端末３と無線接続される基地局である。
これらの端末２・３は、基地局４に帰属する。
【００４１】
評価結果管理サーバ６は、基地局４を介して評価者端末２・被評価者端末３と広域通信を行うサーバである。また評価結果管理サーバ６は、登録端末５に対しても通信可能に接続されている。
評価結果管理サーバ６は、ビーコン発信器製造者のシステム会員ＩＤとビーコン画像と電波源ＩＤを登録端末５から受信した場合、これらビーコン発信器製造者のシステム会員ＩＤとビーコン画像と電波源ＩＤを対応付けて登録する。
【００４２】
また評価結果管理サーバ６は、ビーコン発信器製造者によりビーコン登録ずみの電波源ＩＤを被評価者端末３（移管先）から受信した後に、その電波源ＩＤの移管元となる「ビーコン発信器製造者の登録端末５」もしくは「他の被評価者端末３（移管先以外）」から移管対象の電波源ＩＤと移管先のシステム会員ＩＤと移管後における移管元の評価参照権限の有無を受信した場合、同電波源ＩＤに対して移管先のシステム会員ＩＤを対応付けて「ビーコン移管登録」する。
さらに評価結果管理サーバ６は、ビーコン登録ずみの電波源ＩＤを被評価者端末３から受信した後に、当該端末３（移管先）から「移管対象の電波源ＩＤ・移管先のシステム会員ＩＤ・移管後における移管元の評価参照権限の有無とともに移管用パスワード」を受信した場合、パスワードが登録ずみのものと合致すれば、その電波源ＩＤに移管先のシステム会員ＩＤを対応付けてビーコン移管登録する。
なお本願では、電波源ＩＤの移管登録をしようとする被評価者と、その被評価者に先んじて同電波源ＩＤについてビーコン登録を所有している企業とが連携可能となっている。
その理由はビーコン発信器１の現実の普及プロセスとして、被評価者が個人の場合にビーコン発信器１を入手するには企業から配布されるケースが少なからず想定されることによる。
【００４３】
さらに評価結果管理サーバ６は、当事者（移管元と移管先）間の合意内容に応じて、ビーコン登録の移管元（他の被評価者）の評価参照権限を移管もしくは存続させる設定を行う。
評価対象物ＯＢの評価結果は被評価者による承認の下、評価参照権限が与えられた任意のシステム会員も参照可能となる。
そのため製品（評価対象物ＯＢ）引渡時ならびにビーコン登録移管時に評価参照権限を電波源ＩＤの譲渡者（移管元）に残すことで、同製品の市場流通過程における各段階の市場関係者（製造メーカ、卸売業者・小売業者などの販売業者、末端消費者としての個人・法人）全員が「商品購入者以外の評価者により与えられた客観的な評価結果」を参照できる。
従来、企業活動に影響を与えるエンドユーザレベルの流行の把握は製造・流通の各フェーズで個別に行うことが必要とされていたが、本システム１００を利用すればリアルタイムに各フェーズで共有することが可能となる。
なお評価参照権限は、ビーコン登録を譲り受ける移管先に対しては無条件で与えられる。
【００４４】
また評価結果管理サーバ６は、「アイテム画像」と、評価対象物ＯＢを評価するときに評価者に対して公開される被評価者固有の「リアル表示名」とを被評価者端末３から受信した場合、同被評価者の登録ずみのシステム会員ＩＤに同被評価者のリアル表示名ＲＮとアイテム画像ＩＭを対応付けて登録する。
なお同一システム会員ＩＤに対して登録済みのリアル表示名ＲＮとは異なるものが申請された場合、一定個数（例えば５個）までは追加とみなされ、本システム１００内での一意性を確認の上、システム会員ＩＤに対応付けて登録される。
一定個数を超えると登録個数限度超過の旨が通知され、登録済みのリアル表示名から任意のものを削除するよう促される。
【００４５】
「リアル表示名」とは、評価対象物ＯＢを評価するときに評価者に対して公開（評価者端末２上に画面表示）される名称であり、評価者が個々の被評価者を一意に識別するための名称である。
また「アイテム画像」とは、評価者が評価をするときに実際の評価対象物管理者を一見して識別（発見）する手がかりとなる画像である。
【００４６】
さらに評価結果管理サーバ６は、評価時スキャン電波強度下限値よりも大きなビーコン電波信号ＢＳの電波源ＩＤを評価者端末２から受信した場合、その電波源ＩＤの管理者であるシステム会員ＩＤに対応付けされた被評価者関連情報（アイテム画像ＩＭと、被評価者の展示中のリアル表示名ＲＮの組合せ）を同端末２に提供（送信）する。
【００４７】
なお評価者端末２は、評価結果管理サーバ６から提供された被評価者の展示中のリアル表示名ＲＮとアイテム画像ＩＭの組合せをリスト表示する（図４２、図４４・ステップＳ４２０）。これにより評価者がアイテム画像ＩＭを手がかりとして、被評価者が評価されることを望んでいる評価対象物ＯＢを発見できる。
また評価者の視野内にアイテム画像ＩＭに類似の物が複数ある場合も、被評価者が本システム１００に一意に登録し且つ「展示中リアル表示名」として選択したリアル表示名ＲＮと、実際に視認できるリアル表示名ＲＮとの一致を確認することにより評価対象物ＯＢを保有する被評価者を特定できる。
万一他のシステム会員と同一のリアル表示名ＲＮを故意に表示する会員がいた場合は、評価者または被評価者からの通報により、警告または強制退会の措置を行う。これにより会員のリアル表示名ＲＮのなりすまし表示を防止する。
上記リスト表示中に評価対象物ＯＢに対する評価結果が評価者により入力されると（即時評価）、評価者端末２は、評価対象物ＯＢの属する「電波源ＩＤ」と、同対象物ＯＢの「アイテムＩＤ」と、「評価テンプレートＩＤ」と、同対象物ＯＢの「評価結果」と、同評価結果の「入力時刻情報」を評価結果管理サーバ６に自動転送する。
加えて評価者端末２は、同評価者の「システム会員ＩＤ」ならびに評価者による許可が得られているときには当該端末２の「位置情報」についても評価結果管理サーバ６に自動転送する。
評価結果管理サーバ６は、評価者が評価対象物ＯＢに与えた評価結果・同評価結果の入力時刻情報とともに評価対象物の属する電波源ＩＤ・同評価対象物のアイテムＩＤ・評価者のシステム会員ＩＤ・評価テンプレートＩＤを評価者端末２から受信した場合、同評価テンプレートＩＤの種別に対応した動作を実行する。
【００４８】
また評価結果管理サーバ６は、一時捕捉操作を行った評価者のシステム会員ＩＤと捕捉時刻と電波源ＩＤを評価者端末２から受信して、これら（評価者のシステム会員ＩＤ・捕捉時刻・電波源ＩＤ）をシステム登録し（図１８）、さらに電波源ＩＤに対応する被評価者システム会員と当該会員が捕捉時点展示中のリアル表示名とアイテムＩＤとを対応付けて登録する。
そして同サーバ６は、上記評価者のシステム会員ＩＤと捕捉時刻と電波源ＩＤの登録実行後に評価者端末２から「事後評価の実行」（図５１）が通知された場合、一時捕捉された各電波源ＩＤにそれぞれ対応付けされた各被評価者の被評価者関連情報と各電波源ＩＤの捕捉時刻を同評価者端末２に提供する。
すると評価者端末２は、事後評価開始の通知に応じて評価結果管理サーバ６から送信されてきた被評価者関連情報（本例では、被評価者の展示中のリアル表示名・シンボル画像など）に含まれる被評価者の展示中のリアル表示名ＲＮと、アイテムＩＤに対応付けられたアイテム画像ＩＭを年月日時分秒の順序でリスト表示する（図５３）。
なお評価者端末２のカメラ２６（図２）により「スナップ画像ＰＴを撮影」した場合は、同端末２自体には保存せず評価結果管理サーバ６に送信（アップロード）しておくことで、スナップ画像ＰＴを撮影した評価者端末２以外の他の評価者端末２からログインした場合でも評価結果管理サーバ６上の同画像ＰＴにアクセスでき、評価対象物ＯＢを事後的に評価する際の参考にできるというメリットが生じる。
ここで本システム１００においては電波源ＩＤを一時捕捉する際にスナップ画像ＰＴを撮影するかどうかは評価者の自由意思に任されているため、スナップ画像ＰＴを撮影したケースと、スナップ画像ＰＴを撮影しないケースが混在しうる。
このような構成下において評価対象物ＯＢを選択する場合、図６７（ａ）に例示するように評価者はまず捕捉時刻を特定（選択）した上で、選択された捕捉時刻において一時捕捉された被評価者を選択するよう段階的に被評価者を絞り込むこともできる（図６７（ｂ）参照）。なお同図６７においては、捕捉時刻の特定段階でスナップ画像ＰＴが表示される仕様となっている。
図６７（ａ）の画面例ではスナップ画像ＰＴの存在しない捕捉時刻「２０１６年２月４日  １３時５０分」を選択した上で、さらに同捕捉時刻「２０１６年２月４日  １３時５０分」において捕捉された２名の被評価者のうちの１人を図６７（ｂ）の画面から選択している。
また図６７（ａ）・図６７（ｂ）の動作を実現するにあたっては図６２・ステップＳ８２のごとく、事後評価を行う際に評価結果管理サーバ６からスナップ画像ＰＴ（撮影されている場合に限る）を取得する。
【００４９】
つぎに評価者端末２・被評価者端末３・登録端末５・評価結果管理サーバ６の各電気的構成について順次説明する。
これら端末２・３・５ならびにサーバ６は、計算処理能力や記憶容量等の規模に相違があるものの装置構成は似通っている。いずれの端末２・３・５およびサーバ６も図１に示したごとく、液晶ディスプレイや図示しないプリンタ等を含む出力部と、各種の演算処理を実行する装置本体と、タッチパネルないしはキーボード・マウス（図示略）を含む入力部とを備えている。
また装置本体は、演算処理を実行するＣＰＵを中心とした制御機能、ハードディスクドライブ（ＨＤＤ）・ＲＯＭ・ＲＡＭ等を利用する記憶機能、及び各種信号あるいは情報を送受信する通信機能等を有している。
【００５０】
以下、評価者端末２の電気的構成について説明する。
図２は、実施形態に係る評価者端末２の電気的構成を示すブロック図である。
同図２に示すように本端末２は、タッチパネル（図示略）等のポインティングデバイスを含む入力部２３と、液晶ディスプレイ（図示略）等の出力部２４とを備えている。
【００５１】
また本端末２は、任意の演算処理を実行するＣＰＵ（Central Processing Unit：中央処理装置）を含む制御部２１のほか、ハードディスクドライブ（ＨＤＤ）・ＲＯＭ（Read Only Memory）・ＲＡＭ（Random Access Memory）等を含む記憶部２２、各種信号あるいは情報の入出力経路をなす通信ポート（図示略）を含む通信部２５、および、任意の画像を撮像可能なカメラ２６を備えている。
【００５２】
図２の制御部２１は、ＣＰＵ・ＲＯＭ・ＲＡＭ等を有し、ＲＯＭ・記憶部２２に記憶されているアプリケーションプログラムをＲＡＭにロードして実行し、それにより各種の論理的手段を実現する。
本端末２では、会員登録申請手段２１１、スキャンモード設定手段２１２、電波源ＩＤ検知手段２１３、即時評価手段２１４、電波源ＩＤ一時捕捉手段２１５、カメラ捕捉手段２１６および事後評価手段２１７が実現される。
【００５３】
会員登録申請手段２１１は、評価フィードバックサービスを享受するための事前手続となる会員登録を評価結果管理サーバ６に対して申請する。
本例では会員登録手続として、評価者はシステム会員登録画面（図１９）を介して「システム会員ＩＤの登録」を申請する。
【００５４】
スキャンモード設定手段２１２は、評価者による操作に応じて「ビーコン電波信号ＢＳのスキャンモードをオンないしはオフ」に設定する。
本例ではスキャンモード設定画面（図３９）において「ビーコン信号スキャンモード  オン」ボタンを押下することにより、ビーコン電波信号ＢＳのスキャンモードをオンに設定できる。
【００５５】
図２の電波源ＩＤ検知手段２１３は図３（ａ）のように、周波数帯スキャン手段２１３１と、電波源ＩＤ送信手段２１３２とに機能別に細分化されている。
【００５６】
周波数帯スキャン手段２１３１は「ビーコン信号スキャンモードがオン」（図３９）に設定されると（図４５・ステップＳ４１２）、指定周波数帯におけるチャネルをスキャンすべく、まず本システム１００において認定された全種類のビーコン発信器１について図２２のビーコン製品情報ＢＣ（全部または更新部）をダウンロードならびに保存する（図４５・ステップＳ４０１）。
なおビーコン製品情報ＢＣ（図２２）に記述された仕様の１つである「アドバタイジングチャネル」とは、ビーコン発信器１が自己の存在を周囲に発信する周波数帯のことであり、本例のビーコン製品情報ＢＣにおいては区切記号（例えばカンマ記号）により複数のアドバタイジングチャネル（Bluetooth（登録商標） Low Energy においては３７番〜３９番までのチャネル）を記載できるものとする。
また本例ではビーコン発信器１と評価者端末２の間において接続確立後の通信（データ送受信）はしないため、データチャネル（Bluetooth（登録商標） Low Energy における０番〜３６番までのチャネル）は存在こそするものの使用しない。なお評価者端末２側のスキャン方式は、ビーコン発信器１へ問いかけをするアクティブスキャン方式ではなく、パッシブスキャン方式とする。
【００５７】
周波数帯スキャン手段２１３１は、ある特定種類のビーコン製品情報ＢＣ（図２２）に基づき指定周波数帯におけるチャネル（本例ではアドバタイジングチャネル）をスキャンする（図４５・ステップＳ４０２）。
また周波数帯スキャン手段２１３１は、スキャンにより検知した全ビーコン電波信号ＢＳのうち「評価時スキャン電波強度下限値」以上の電波源ＩＤをすべて抽出し、照会用ＩＤ一時格納領域２２０に保存する（図４５・ステップＳ４０３）。
ダウンロードしたすべてのビーコン製品情報ＢＣについてスキャンが完了するまで順次、指定周波数帯とチャネルのスキャンを実行する（図４５・ステップＳ４０４）。
【００５８】
図３（ａ）の電波源ＩＤ送信手段２１３２は、照会用ＩＤ一時格納領域２２０に保存した全電波源ＩＤを評価結果管理サーバ６に送信する（図４５・ステップＳ４１３）。
なお電波源ＩＤ送信手段２１３２による電波源ＩＤの上記送信動作は、サーバ照会間隔で一定時間ごとに行われる（図４５・ステップＳ４０５）。
電波源ＩＤ検知手段２１３は、ビーコン信号スキャンモードがオフに設定されるまで上述した指定周波数帯・チャネルスキャン処理を繰返し実行する（図４５・ステップＳ４０６）。
【００５９】
図２の即時評価手段２１４は、評価対象物ＯＢを検知したときに評価者が同対象物ＯＢの「評価を即座に行うとき」に機能する。
即時評価手段２１４は図３（ｂ）のように、評価対象物通知手段２１４１と、評価対象即時選択手段２１４２と、評価結果送信手段２１４３とに機能別に細分化されている。
【００６０】
評価対象物通知手段２１４１は、評価対象物ＯＢの管理者が近くに存在する旨を評価者（評価者端末２のユーザ）に通知する（図４４・ステップＳ４１８）。
この通知手法は任意であり対象物通知画面（図４１）を画面表示するほか、音声通知・バイブレーション通知（モータによる振動通知）・発光通知（ＬＥＤ（Light Emitting Diode）点滅）などを採用できる。
【００６１】
評価対象即時選択手段２１４２は、電波源ＩＤ検知手段２１３が検知したビーコン電波信号ＢＳに含まれる電波源ＩＤのビーコン登録の有無（同電波源ＩＤがすでにビーコン発信器製造者ないしは他の被評価者によりビーコン登録されたものであるか）を評価結果管理サーバ６に対して問合せる。
同サーバ６にてビーコン登録されている場合、同手段２１４２は評価結果管理サーバ６から提供（送信）された電波源ＩＤ管理者の被評価者関連情報を受信する。
【００６２】
評価対象即時選択手段２１４２は対象物通知画面（図４１）において「被評価者一覧の表示」ボタンが評価者により押下されたときに（図４４・ステップＳ４１９）、評価結果管理サーバ６から提供された「被評価者関連情報」（被評価者の展示中のリアル表示名ＲＮと、被評価者のシンボル画像と、同被評価者がサーバ登録したアイテム画像ＩＭ）をリスト表示する（図４４・ステップＳ４２０）。
図４２に示す被評価者一覧画面の例では、被評価者の展示中のリアル表示名ＲＮとして「ａｐｒｉｌ」と「ｓｐｒｉｎｇ」の２つが表示されている。
上記画面（図４２）ではリスト表示された被評価者のなかからいずれか１人の被評価者を選択することが可能となっており、いずれか１人の被評価者を選択した状態で「評価結果の入力（すぐに評価）」ボタンを押下することにより、対象物評価入力画面（図４３）へと移行する。
なお評価対象即時選択手段２１４２は対象物評価入力画面（図４３）において、先に選択された被評価者に対応するアイテム画像ＩＭと評価テンプレート配置画像を表示する（図４４・ステップＳ４２１）。
本例では同図４４・ステップＳ４１７において、評価結果管理サーバ６から評価者端末２に対して被評価者関連情報の一環として「アイテムＩＤ・被評価者の展示中リアル表示名・シンボル画像とともに、当該アイテムＩＤに対応付けされたアイテム画像ＩＭならびに同アイテムＩＤに評価テンプレートＩＤ（図１３・図１７（ａ））を介して対応付けされた評価テンプレート配置画像（図１７（ａ））の組合せ」があらかじめ提供（送信）される。
この送信動作ゆえに、図４４・ステップＳ４２１における評価テンプレート配置画像の表示が実現可能となっている。
なお評価テンプレートはシステム運営者が事前に用意するものとする。その際、テンプレートが「実利ある評価方法」であるか「実利とは直接関係しない評価方法」であるか、評価結果管理サーバ６が種別を識別できるような形で評価テンプレートＩＤを構成しておくものとする。
本例においては評価テンプレートＩＤ（図１７（ａ））の先頭文字が「実利を伴わない評価」と「実利を伴う評価」を判定するための識別子の役割を担っている。
【００６３】
評価結果送信手段２１４３は図４３の「評価結果の転送」ボタンが押下された場合（即時評価時）、対象物評価入力画面（同図４３）を介して入力された評価結果を評価結果管理サーバ６へ送信する（図４４・ステップＳ４２２）。なお同手段２１４３は、当該評価結果とともに同評価結果の入力時刻情報・評価対象物ＯＢの属する電波源ＩＤ・同対象物ＯＢのアイテムＩＤ・評価テンプレートＩＤ・評価者のシステム会員ＩＤ・評価者端末２の位置情報（評価者の承諾時）も併せて送信する。
評価結果管理サーバ６は同評価結果を受信すると、評価テンプレートＩＤの種別に対応する動作を実行する。本例においては、同サーバ６は評価結果をアイテム評価登録情報６２５（図１５）または総合評価登録情報６２６（図１６）に登録する。
【００６４】
図２の電波源ＩＤ一時捕捉手段２１５は、評価対象物ＯＢを検知したときに評価者が同対象物ＯＢの「評価を事後的に行うとき」に機能する。
電波源ＩＤ一時捕捉手段２１５は図３（ｃ）のように、周波数帯スキャン手段２１５１と、電波源ＩＤ送信手段２１５２とに機能別に細分化されている。
【００６５】
周波数帯スキャン手段２１５１はスキャンモード設定画面（図４６）において「電波源ＩＤの一時捕捉（事後評価）」ボタンの押下を検出すると（図４９・ステップＳ５０１）、本システム１００において「認定された全種類のビーコン発信器１」についてビーコン製品情報ＢＣ（全部または更新部分）のダウンロードならびに保存を実行する（図４８・図４９のステップＳ５０）。
ビーコン製品情報ＢＣは、ビーコン電波信号ＢＳの周波数帯スキャンに必要な周波数帯に関する情報と、ビーコン電波信号ＢＳから電波源ＩＤを抽出するための規格情報から構成される。
【００６６】
また同手段２１５１は、先にダウンロードしたなかからある特定種類のビーコン製品情報ＢＣを選択し、当該選択した特定種類のビーコン製品情報ＢＣに基づいて「指定周波数帯におけるチャネル（本例ではアドバタイジングチャネル）のスキャン」（図４８・図４９のステップＳ５１）を行うことにより電波源ＩＤを「一時捕捉」（一時記録）する。
さらに周波数帯スキャン手段２１５１は「評価時スキャン電波強度下限値」以上のビーコン電波信号ＢＳから電波源ＩＤをすべて抽出し、照会用ＩＤ一時格納領域２２０に保存する（図４８・図４９のステップＳ５２）。
これにより本システム１００において登録されたビーコン製品情報ＢＣ（図２２）に合致し、かつ受信電波強度が評価時スキャン電波強度下限値以上のビーコン電波信号の電波源ＩＤのみが抽出される。
なお同手段２１５１は、ダウンロードしたすべてのビーコン製品情報ＢＣについてスキャンが完了するまで順次、指定周波数帯におけるチャネルスキャンを実行する（図４９・ステップＳ５０２）。
たとえ規格が同じであってもビーコン発信器製造者（ビーコンメーカー）が異なれば「評価時スキャン電波強度下限値」等のパラメータが異なることが予想されるため、製品情報キーが異なるごとに動的にダウンロードしたビーコン製品情報ＢＣに応じて判定基準を変更すればよい。
【００６７】
図３（ｃ）の電波源ＩＤ送信手段２１５２は、照会用ＩＤ一時格納領域２２０に保存した全電波源ＩＤと、捕捉時刻と、評価者のシステム会員ＩＤと、同評価者の承認があれば評価者端末２の補足当時位置情報を評価結果管理サーバ６に送信する（図４８・図４９のステップＳ５３）。
上述した電波源ＩＤの一時捕捉動作（図４９）は、その処理内容自体はビーコン信号スキャンモードがオンのときの動作（図４５）と類似するものの、電波源ＩＤの一時捕捉は「電波源ＩＤの一時捕捉」ボタン（図４６）の押下に応じて１回のみ行われ、ビーコン信号スキャンモードがオン時のように一定時間（サーバ照会間隔）ごとに反復的に実行されることはない。
【００６８】
なお本例において電波源ＩＤ送信手段２１５２は、照会用ＩＤ一時格納領域２２０に保存した全電波源ＩＤの評価結果管理サーバ６に対する送信（図４９・ステップＳ５３）完了後に、事後評価の実施を促すための捕捉完了画面（図４７）を画面表示する。
電波源ＩＤを一時捕捉（一時記録）することにより、評価者が評価対象物ＯＢに遭遇しても「評価を行っている時間的余裕がないとき」に、電波源ＩＤに基づいて評価結果管理サーバ６上から評価対象物ＯＢを事後的に見つけ出して同対象物ＯＢの評価をすることが可能となる。
【００６９】
図２のカメラ捕捉手段２１６は図３（ｄ）のように、スナップ撮影手段２１６１と、周波数帯スキャン手段２１６２と、電波源ＩＤ送信手段２１６３とに機能別に細分化されている。
【００７０】
スナップ撮影手段２１６１はスキャンモード設定画面（図５５）において「カメラ（事後評価）」ボタンが押下された場合、カメラ捕捉画面（図５６）を表示する。
また同手段２１６１は、図５６の「シャッター（スナップ画像の撮影）」ボタンが押下された場合、カメラ２６によりスナップ画像ＰＴ（評価対象物ＯＢが写り込んだ画像）を撮像する（図５７・図５８のステップＳ７０）。
【００７１】
周波数帯スキャン手段２１６２はスキャンモード設定画面（図５５）における「カメラ（事後評価）」ボタンの押下を検出すると（図５８・ステップＳ７０１）、本システム１００において認定された全種類のビーコン発信器１についてビーコン製品情報ＢＣ（全部または更新部分）のダウンロードと保存を実行する（図５８・ステップＳ７０２）。
【００７２】
また同手段２１６２は、先にダウンロードしたなかからある特定種類のビーコン製品情報ＢＣを選択し、当該選択した特定種類のビーコン製品情報ＢＣに基づき「指定周波数帯におけるチャネルのスキャン」（図５７・図５８のステップＳ７１）を行うことにより電波源ＩＤを「一時捕捉」（一時記録）する。
さらに周波数帯スキャン手段２１６２は「評価時スキャン電波強度下限値」以上のビーコン電波信号ＢＳから電波源ＩＤをすべて抽出し、照会用ＩＤ一時格納領域２２０に保存する（図５７・図５８のステップＳ７２）。これにより受信電波強度が評価時スキャン電波強度下限値以上のビーコン電波信号のうち、登録されたビーコン製品情報ＢＣ（図２２）に合致する電波源ＩＤのみが抽出される。
同手段２１６２は、ダウンロードしたすべてのビーコン製品情報ＢＣについて順次、指定周波数帯におけるチャネル（本例ではアドバタイジングチャネル）をスキャンする（図５８・ステップＳ７０３）。
【００７３】
図３（ｄ）の電波源ＩＤ送信手段２１６３は、照会用ＩＤ一時格納領域２２０に保存した全電波源ＩＤと、スナップ画像ＰＴと、スナップ画像ＰＴの捕捉（撮影）時刻と、捕捉（撮影）当時位置情報（評価者の承諾時）と、評価者のシステム会員ＩＤを評価結果管理サーバ６に送信する（図５７・図５８のステップＳ７３）。
【００７４】
図２の事後評価手段２１７は図３（ｅ）のように、事後評価開始通知手段２１７１と、評価対象事後選択手段２１７２と、評価結果転送手段２１７３とに機能別に細分化されている。
【００７５】
事後評価開始通知手段２１７１は、事後評価開始画面（図５１）において「事後評価の実行」ボタンが押下されたときに、事後評価を開始する旨を評価結果管理サーバ６に通知する（図５２・ステップＳ６１）。
【００７６】
評価対象事後選択手段２１７２は上記「事後評価の実行」ボタンが押下された後に、図５３に例示するごとく被評価者の展示中のリアル表示名ＲＮ・アイテムＩＤに対応付けられたアイテム画像ＩＭ・シンボル画像を年月日時分秒順にリスト表示する（図５２・ステップＳ６３）。
【００７７】
なお同手段２１７２は事後評価の開始通知（すなわち「事後評価の実行」ボタンの押下）に応じて「評価結果管理サーバ６からスナップ画像ＰＴが送信」されてきた場合、図６０に例示するごとく当該スナップ画像ＰＴを年月日時分秒順にリスト表示する（図６２・ステップＳ８３）。
なお本例のスナップ画像検索画面（図６０）では、一時捕捉した電波源ＩＤに対して標準事後評価期間がタイマ設定されている。そのためカメラ捕捉手段２１６による電波源ＩＤの一時捕捉から一定の標準事後評価期間（例えば２日間など。評価結果管理サーバ６において設定される期間）が徒過すると、同画面（図６０）からの評価対象物ＯＢの検索ができなくなる。
【００７８】
続けて評価対象事後選択手段２１７２は、いずれか１つの撮影時刻（すなわち電波源ＩＤが捕捉された時刻）が選択された状態で図６０の「撮影時刻（捕捉時刻）の選択」ボタンが押下された場合、図６１に例示するごとく被評価者の展示中のリアル表示名ＲＮ・アイテムＩＤに対応付けられたアイテム画像ＩＭ・シンボル画像を年月日時分秒順にリスト表示する（図６２・ステップＳ８４）。
上記画面（図６１）では評価者が選択したスナップ画像ＰＴが下部に表示されるため、同画像ＰＴを参考にして評価対象物ＯＢないしは同対象物ＯＢを管理している被評価者の特定を行うことができる。
【００７９】
また評価対象事後選択手段２１７２は、被評価者検索画面（図５３または図６１）のリスト中から選択された被評価者に対応する対象物評価入力画面（図４３に示す評価テンプレート配置画像付のアイテム画像）を表示する（図５２・ステップＳ６４ないしは図６２・ステップＳ８５）。
同評価入力画面（図４３）が画面表示されると、評価結果の事後的な入力（図５２・ステップＳ６５ないしは図６２・ステップＳ８６）が可能になる。
同図４３の画面例では、被評価者のリアル表示名ＲＮ−１に加えて、その被評価者が評価されることを希望している各評価対象物ＯＢのアイテム画像ＩＭ（図４３のＩＭ−１〜ＩＭ−３）が提示されている。
【００８０】
評価結果転送手段２１７３は、対象物評価入力画面（図４３）において評価対象物ＯＢに対する評価結果の入力操作（「評価結果の転送」ボタンの押下）がなされると、当該対象物ＯＢのアイテムＩＤならびに評価結果を評価結果管理サーバ６に自動転送する（図５２・ステップＳ６５ないしは図６２・ステップＳ８６）。
また本例において同手段２１７３は、評価結果の入力時刻についても評価結果管理サーバ６に送信する。
同サーバ６側で評価結果と入力時刻を対応付けて登録しておくことで、評価を始めてからの時間経過に伴う評価の変遷（履歴情報）を追跡することが可能となる。そのため時間が経つにつれて、評価が上がっていくのか、それとも評価が落ちていくのかを統計的に分析することが可能となる。
【００８１】
さらに同手段２１７３は、事後的に入力された上記評価結果とともに同評価者のシステム会員ＩＤについても評価結果管理サーバ６に転送する（図５２・ステップＳ６５ないしは図６２・ステップＳ８６）。
【００８２】
なお本例では評価を受けるにあたり評価者の被評価者に対するストーカー行為のリスクを未然回避できるよう、対象物評価入力画面（図４３）において被評価者のリアル表示名ＲＮだけを表示する。
一方でシステム会員ＩＤについては入会中変更できないためセキュリティ上の理由（ストーカー等の迷惑行為につながるおそれ）から、被評価者のシステム会員ＩＤが評価者端末２にダウンロードされたとしても同端末２には表示されることのないようにする。
このようにすれば評価者は被評価者に対して直接的にコミュニケーションすることはできず評価結果を付与できるだけに留まるため、被評価者が評価者から追跡されることを防止できる。
なお評価者に対して公開がなされるリアル表示名ＲＮについては被評価者本人の自由意思で任意に変更できるため、ストーカー行為に対する自衛が可能である。
その他のストーカー対策としては、本システム１００において認定（登録を許可）するビーコン発信器１の機種を、被評価者による展示終了後に電源スイッチ（図示略）のオフによって物理的に電波発信を終了できる機種のみに限定することもできる。
【００８３】
つぎに被評価者端末３の電気的構成について説明する。
図４は、実施形態に係る被評価者端末３の電気的構成を示すブロック図である。
同図４のごとく本端末３は、タッチパネル（図示略）等のポインティングデバイスを含む入力部３３と、液晶ディスプレイ（図示略）等の出力部３４を備えている。
【００８４】
また本端末３は、任意の演算処理を実行するＣＰＵ（中央処理装置）を含む制御部３１のほか、ハードディスクドライブ（ＨＤＤ）・ＲＯＭ・ＲＡＭ等を含む記憶部３２、各種信号あるいは情報の入出力経路をなす通信ポート（図示略）を含む通信部３５、および、任意の画像を撮像可能なカメラ３６を備えている。
また記憶部３２は、評価結果管理サーバ６から必要な情報を抽出して保存しておく記憶領域、あるいは同サーバ６との間でデータを送受信するための一時的なデータ格納領域として機能する。
【００８５】
図４の制御部３１は、ＣＰＵ・ＲＯＭ・ＲＡＭ等を有し、ＲＯＭ・記憶部３２に記憶されているアプリケーションプログラムをＲＡＭにロードして実行し、それにより各種の論理的手段を実現する。
本端末３では、会員登録申請手段３１１、ビーコン移管登録申請手段３１２、ビーコン移管登録承認手段３１３、アイテム登録申請手段３１４、展示モード設定手段３１５および歴代移管元管理手段３１６が実現される。
【００８６】
会員登録申請手段３１１は、評価フィードバックサービスを享受するための事前手続となる会員登録を評価結果管理サーバ６に対して申請する。
本例では会員登録手続として、まずシステム会員登録画面（図１９）を介して「システム会員ＩＤの登録」を申請する。
またシステム会員ＩＤの登録が完了すると、被評価者はリアル表示名登録画面（図２０）を介して「リアル表示名ＲＮを登録」する。なお本例において、リアル表示名ＲＮは必須の登録事項である。
リアル表示名ＲＮとして既存（登録済み）のものと異なるものが申請された場合、一定個数（例えば、最大５個）までは追加とみなされ本システム１００内での一意性を確認（照合）した上で登録される。
一方、リアル表示名ＲＮの登録数が一定個数にすでに到達している場合は、当該システム会員の登録済みリアル表示名ＲＮが一覧表示され、どれかを削除するよう促すメッセージが表示される。
さらに図２０の画面例ではリアル表示名ＲＮに加えて、シンボル画像・被評価者自身のプロフィール・被評価者が情報発信を行っているホームページＵＲＬ・ＳＮＳハンドルネーム・特典・振込先についても登録可能となっている。
ビーコン移管する際には、移管先が評価参照権限ありで移管承諾したときの特典情報（割引クーポンの配布、特別イベントへの招待状配布など）も登録できる。アイテム単位に特典を分ける場合は、詳細が記載してあるＵＲＬなどを記入する。
またシンボル画像は、図２０の「写真ライブラリ」ボタンを押下することによって出現する写真画像の一覧画面（図示略）から任意の画像を選んで設定できる。
なおリアル表示名ＲＮは、評価者の電波スキャン範囲内に複数のシステム会員が存在するときに最終的に「評価者が被評価者を視認特定する手がかり」とするために評価者端末２上に表示されるものである。
被評価者は自己の特定を確実にしてもらうために、展示時に評価者の視認できる箇所（例えば衣服など）にリアル表示名ＲＮを表示する必要がある。すなわちシステム会員以外の者を含んだ不特定多数に開示される情報である。
本例においてリアル表示名ＲＮは唯一のシステム会員ＩＤに対して１対Ｎ（Ｎ：１人のシステム会員がリアル表示名ＲＮを登録できる上限値以下の自然数）で対応し、かつ評価フィードバックシステム１００内での一意性が保証されている。
一方、システム会員ＩＤは本システム１００内で各種検索キーとして使用されるほかは、本システム１００のシステム会員か否かを問わず原則開示されることはない。
例外としては、（１）移管元または移管先へのシステム会員ＩＤの開示と（２）評価者のシステム会員ＩＤの被評価者への開示である。前者（１）は、ビーコン移管がリアルな世界（実社会）における契約・合意の下に行われる行為であり、移管元と移管先の間には一定の信頼関係があると想定されるからであり、後者（２）は評価者が被評価者とコミュニケーションを取りたいと考えた時の便宜上からである。評価者のシステム会員ＩＤは同評価者本人の承諾の下に被評価者に開示されるものであり、被評価者のシステム会員ＩＤが開示されるものではない。評価者に開示されるのは、あくまで被評価者のリアル表示名ＲＮだけである。システム会員ＩＤは入会中において不変だが、リアル表示名ＲＮは随時変更可能である。
なお１人のシステム会員（すなわち１つのシステム会員ＩＤ）につきリアル表示名ＲＮを複数個（例えば最大５個まで。それ以上増やしたい時は既存のものを削除する）登録でき、貯留しておけるように構成することも可能である。
各システム会員は評価対象物ＯＢの展示の際、自己が貯留しているうちのどれか一つのリアル表示名ＲＮを選択する。これにより被評価者は気分やＴＰＯ（いわゆる時・場所・場合）に応じて同表示名ＲＮを使い分け、複数のキャラクタを演じたり、また展示物の組合せを象徴するテーマ性を表現するなどの振舞が可能となる。このようなリアル表示名ＲＮを使い分ける具体的な利用例としては、仮装行列への参加時などが挙げられる。
【００８７】
なお本評価フィードバックシステム１００では、被評価者はそれぞれ一定個数のリアル表示名ＲＮを所有することができる。ただし評価対象物ＯＢを展示する際は、そのうち１つのリアル表示名ＲＮを展示中リアル表示名として指定する必要がある。
また本システム１００ではリアル表示名ＲＮは個々の会員（被評価者）に対して一意に関係づけされ、複数の被評価者による同一のリアル表示名ＲＮの重複登録を許してないので、同システム１００内で同一のリアル表示名ＲＮを持つ複数の被評価者が存在する可能性は排除されている。
【００８８】
リアル表示名ＲＮは「登録後でも追加可能」である。ただし一定個数を超過する場合は、登録済みのリアル表示名ＲＮのいずれかを抹消する必要がある。そのため、ある被評価者により既に登録されているリアル表示名ＲＮであっても、その登録が抹消されたときは同表示名ＲＮの所有権が消滅し、別の会員が取得（登録）することが可能となる。
なお評価者が評価対象物ＯＢに対して事後的に評価結果を与えることを可能にするため、「標準事後評価期間中（２日間など）はアイテム画像ＩＭとリアル表示名ＲＮの対応関係の同一性を維持」する必要がある。
そのため被評価者は展示モードをオンからオフに変更した後であっても別途、標準事後評価期間を過ぎなければ当該リアル表示名ＲＮを抹消することはできない。
【００８９】
またリアル表示名ＲＮは「評価者がリアルな世界において被評価者を特定」する識別情報としての役割を担う。そのため登録商標と同一または類似のリアル表示名ＲＮは、正当な商標権者でない限り使用することができない。
システム会員ＩＤとリアル表示名ＲＮは、評価結果管理サーバ６に格納されたシステム会員登録情報６２０（図１０）において一意に関係づけられている。
【００９０】
なお本例ではＦａｃｅｂｏｏｋ（登録商標）などに代表されるＳＮＳサイトのアカウント（本人確認ずみのＳＮＳハンドルネーム）を会員（評価者または被評価者）が所有している場合、同ＳＮＳに代行本人認証（ログイン）することで存在確認することが可能である。
通常、ＳＮＳではユーザアカウントを発行する際、厳格な基準の下に本人確認が行われる。そのため評価フィードバックシステム１００のログイン時にもＳＮＳアカウントを流用することで、本システム１００を利用する会員の本人該当性を向上させることができる。
【００９１】
図４のビーコン移管登録申請手段３１２は、被評価者が他者の所有する電波源ＩＤ（ビーコン登録済のもの）の取得（移管による譲受）を希望するときに機能する。
同手段３１２は図５（ａ）のように、ビーコン受信状況判定手段３１２１と、受信電波強度判定手段３１２２と、移管登録申込手段３１２３とに機能別に細分化されている。
【００９２】
ビーコン受信状況判定手段３１２１は、被評価者端末３が受信した各ビーコン電波信号ＢＳの電波源ＩＤをすべて認識するとともに同端末３の周辺からのビーコン受信状況を判定する（図２９・図３０のステップＳ２１）。
本例においてビーコン受信状況判定手段３１２１は、周辺からのビーコン受信状況として特定の１台のビーコン発信器１からのみビーコン電波信号ＢＳを受信しているかどうかを判定する（図２９・図３０のステップＳ２１）。
より詳細には図３０のように同手段３１２１は、本システム１００において認定された全種類のビーコン発信器１についてビーコン製品情報ＢＣをダウンロードし（図３０・ステップＳ２０１）、各種製品（ビーコン発信器１）ごとのビーコン製品情報ＢＣについて周波数帯のスキャンを逐次実行する（図３０・ステップＳ２０２）。スキャンにより検知した全ビーコン電波信号の電波源ＩＤと受信電波強度は、照会用ＩＤ一時格納領域に保存される（図３０・ステップＳ２０３）。
そしてダウンロードした全ビーコン製品情報ＢＣについての周波数帯スキャンが完了すると（図３０・ステップＳ２０４）、同手段３１２１は上記の被評価者端末３の周辺からのビーコン受信状況を判定する（図２９・図３０のステップＳ２１）。
なお同判定手段３１２１は複数台のビーコン発信器１から近接登録時電波強度下限値よりも大きなビーコン電波信号ＢＳを同時に受信した場合、被評価者端末３の周辺に複数台のビーコン発信器１が存在する旨をビーコン受信状況通知画面（図２４）において警告する（図３０・ステップＳ２０５）。
【００９３】
図５（ａ）の受信電波強度判定手段３１２２は、ビーコン電波信号ＢＳの受信電波強度が「近接登録時電波強度下限値よりも大きいか」どうかを判定する（図２９・図３０のステップＳ２２）。
【００９４】
図５（ａ）の移管登録申込手段３１２３は、（１）ビーコン受信状況判定手段３１２１により特定の１台のビーコン発信器１からのみビーコン電波信号ＢＳを受信していると判定され且つ（２）受信電波強度判定手段３１２２によりビーコン電波信号ＢＳの受信電波強度が近接登録時電波強度下限値よりも大きいと判定されたときに、被評価者による電波源ＩＤのビーコン移管登録を許可する。
なお本例においてビーコン移管登録の許可は、ビーコン登録移管申込画面（図２５）の表示をもって行われる。
本例では「ビーコン移管登録依頼操作」（図２５の「ビーコン移管登録申請」ボタンの押下）により、ビーコン電波信号ＢＳに含まれる電波源ＩＤについて評価結果管理サーバ６に対してビーコン移管登録申請が送信される（図２９・図３０のステップＳ２３）。
【００９５】
さらに同手段３１２３は、電波源ＩＤについて「本システム１００において他者により所有されている」旨が評価結果管理サーバ６から通知されたときに（図２９・ステップＳ２４）、ビーコン登録移管依頼画面（図２６）を介して移管先（当該電波源ＩＤの所有者たる、他の被評価者ないしはビーコン発信器製造者）に対しビーコン登録の移管を申込む（図２９・ステップＳ２５）。
なお同画面（図２６）では、ビーコン登録移管後においても移管元（電波源ＩＤの元所有者）に対して「評価結果の評価参照権限を存続」させるかを指定できる。その指定の際に評価参照権限を存続した場合、移管先は「特典の確認」ボタン（図２６）を押下することで移管元からどんな特典が得られるのかを参照できる。なお特典に関する情報は、システム会員登録情報６２０（図１０）から取得する。
ビーコン登録移管後においても評価参照権限が移管元に存続する場合、電波源ＩＤの元所有者（移管元）は、同電波源ＩＤに対応付けられた評価対象物ＯＢの評価結果（図５４の評価結果参照画面）を参照することができる。
また移管登録申込手段３１２３は、ビーコン移管登録申請を送信した電波源ＩＤの所有者が本システム１００のシステム会員のなかに存在しない」旨が評価結果管理サーバ６から通知された場合（図２９・ステップＳ２４）、ビーコン登録が不存在の旨を通知する（図２９・ステップＳ２５０）。
【００９６】
図４のビーコン移管登録承認手段３１３は、被評価者（移管元）が現在所有している電波源ＩＤ（ビーコン登録済のもの）について別の被評価者（移管先）から譲渡を希望されたときに機能する。
同手段３１３は図５（ｂ）のように、他者移管申込通知手段３１３１と、移管申込承認手段３１３２と、移管用パスワード通知手段３１３３と、移管用パスワード送信手段３１３４とに機能別に細分化されている。
【００９７】
他者移管申込通知手段３１３１は「当該被評価者端末３が移管元端末」として振舞うときの機能を提供するものであり、ビーコン登録された電波源ＩＤの所有者（移管元）に対して他者（移管先）からビーコン移管登録の申込があった場合、ビーコン移管申込通知画面（図２７）を表示する。
ビーコン登録の所有者（移管元）は、同画面（図２７）を介してビーコン登録の移管申込に対する承諾もしくは拒否（キャンセル）を入力することができる。
【００９８】
図５（ｂ）の移管申込承認手段３１３２も「当該被評価者端末３が移管元端末」として振舞うときの機能を提供するものであり、図２７の「ビーコン移管設定画面へ」ボタンが押下されるとビーコン移管設定画面（図２８）を表示する。
また移管元（ビーコン登録の所有者）における移管申込承認手段３１３２は、同画面（図２８）において「ビーコン移管実行」ボタンの押下を検知すると、評価結果管理サーバ６に対してビーコン登録の移管を要求する（図２９・ステップＳ２６）。このとき評価結果管理サーバ６側では、電波源ＩＤに対して移管先（ビーコン登録の譲受人）のシステム会員ＩＤが対応付けて登録（書換による移転登録）される。
【００９９】
図５（ｂ）の移管用パスワード通知手段３１３３は「当該被評価者端末３が移管元端末」として振舞うときの機能を提供するものであり、移管先による移管作業に先立って、移管先となる被評価者端末３に対して移管用パスワードを通知する（図３２・ステップＳ２）。
【０１００】
図５（ｂ）の移管用パスワード送信手段３１３４は「当該被評価者端末３が移管先端末」として振舞うときの機能を提供するものであり、移管元から通知された移管用パスワードがビーコン移管設定画面（図３１）を介して入力された場合（図３２・ステップＳ２５１）、当該パスワードを評価結果管理サーバ６に送信する。
移管元から通知された移管用パスワードを送信することで、本来移管元により行われるべき「評価結果管理サーバ６に対するビーコン登録の移管要求」（図２９・ステップＳ２６）を、移管先（ビーコン登録の譲受人）の移管申込承認手段３１３２からも行うことが可能になる（図３２・ステップＳ２７）。
なお移管先が「評価参照権限あり」（すなわち移管元に評価参照権限を存続させるパターン）を指定してビーコン移管した場合において特典があるときは、評価結果管理サーバ６により移管先のシステム会員ＩＤが移管元に通知されるので（図３２・ステップＳ２９）、移管元は当該移管先に対して特典の提供を実施する。
【０１０１】
図４のアイテム登録申請手段３１４はアイテム登録画面（図３３）が起動されたときに、被評価者について登録されている被評価者関連情報の送信を評価結果管理サーバ６に対して要求する（図３４・ステップＳ３１）。
また同手段３１４は、評価結果管理サーバ６から受信した被評価者に関する被評価者関連情報（評価対象フラグ・アイテム画像ＩＭ・評価テンプレートＩＤ）をアイテム登録画面（同図３３）に表示する（図３４・ステップＳ３３）。
さらにアイテム登録申請手段３１４は、図３３の「アイテム登録・変更申請ならびに評価対象指定」ボタンが押下されたときに登録対象のアイテムにアイテムＩＤが付与されていない場合（すなわちアイテムの「新規登録」時）、アイテム登録画面（同図３３）を介して入力された評価対象フラグ・評価テンプレートＩＤ・アイテム画像ＩＭを「被評価者のシステム会員ＩＤ」とともに評価結果管理サーバ６に送信する（図３４・ステップＳ３４Ａ）。
アイテム画像ＩＭは、図３３の「写真ライブラリ」ボタンを押下することで出現する写真画像の一覧画面（図示略）から任意の画像を選んで設定できる。なおアイテム画像ＩＭは、評価者がリアルな世界において実際の評価対象物ＯＢを発見することを補助するものであればよいため、必ずしも画像（写真やイラスト）には限定されず識別名などの文字情報でも代用しうる。
またアイテム登録申請手段３１４は、図３３の「アイテム登録・変更申請ならびに評価対象指定」ボタンが押下されたときに登録対象のアイテムにアイテムＩＤが付与されている場合、アイテム登録画面（同図３３）を介して変更された評価対象フラグ・評価テンプレートＩＤないしはアイテム画像ＩＭを「アイテムＩＤ」とともに評価結果管理サーバ６に送信する（図３４・ステップＳ３４Ｂ）。
なお本例では「アイテムが電波源を有」している場合、そのアイテムについては電波源の移管登録と同じタイミングでアイテム登録すべくアイテム登録手段６１４（図８）により無条件にアイテムＩＤが附番される。
すなわち電波源ＩＤの移管登録時点でいくつかのアイテムについてはアイテムＩＤが採番され、さらに評価対象設定情報６２３（図１３）にアイテムＩＤ・電波源ＩＤ・アイテム画像ＩＭが設定される。ただし電波源ＩＤの移管登録時点では、評価対象設定情報６２３における他の項目はデフォルト値のままであり、またアイテム画像ＩＭとしてはビーコン画像がいったん引継がれる。
図３３の画面例では既にアイテム登録済みのアイテムを表示し、デフォルト値（評価対象フラグなど）は変更可能となっている。またアイテム画像ＩＭについても被評価者が変更を希望する場合、他のアイテム画像ＩＭに変更することができる。
さらにアイテム登録画面（図３３）では、全く新規のアイテム（電波源ＩＤと対応付けされていないアイテム）を登録することも可能である。なお新規にアイテム登録をする場合、アイテム画像ＩＭを写真ライブラリから選択する。
【０１０２】
なお「アイテム登録」とは、評価対象物ＯＢが写り込んだアイテム画像ＩＭにシステム１００内で一意のアイテムＩＤを付与した上で評価結果管理サーバ６に登録することである。
本例の「アイテム登録」は、被評価者のシステム会員ＩＤに通番を付加してなる「アイテムＩＤ」を「アイテム画像ＩＭ」に付与（対応付け）して登録することで実現される。
電波源ＩＤにより、同電波源ＩＤを管理する被評価者のシステム会員ＩＤが内部的に特定され、さらには同被評価者により展示中のアイテムも特定できるため、そのアイテム画像一覧も提示できる。よって、電波源ＩＤはアイテム画像ＩＭによって識別される評価対象物ＯＢの存在を示すことになる。
また上述の「評価対象フラグ」とは、アイテム登録されたアイテム画像ＩＭに関連する評価対象物ＯＢについて評価者が評価結果を与えることができるかどうかを示す設定値である。
【０１０３】
図４の展示モード設定手段３１５は、評価実行設定画面（図３５）における「評価（展示）開始」ボタンないしは「評価（展示）終了」ボタンの押下に応じて「展示モードをオンまたはオフ」に設定する。
また展示モード設定手段３１５は、「評価（展示）開始」ボタンが押下された時刻（展示モードがオンとなった時刻）ならびに「評価（展示）終了」ボタンが押下された時刻（展示モードがオフとなった時刻）を展示期間情報６２９（図１７（ｂ））に記録する。
展示期間情報６２９（図１７（ｂ））は、被評価者により評価対象物ＯＢが展示された期間の履歴を示す情報である。同情報６２９を参照することにより、過去に展示がなされた展示期間のなかから所望の展示期間における評価結果を検索することが可能となり（図６４の画面例を参照）、さらに検索で得られた展示期間内に入力された評価結果を参照することも可能になる。
なお同手段３１５は、展示モードがオンになった際に、ビーコン発信器１によりビーコン電波信号が発信されていないか、もしくはビーコン電波信号ＢＳが微弱な場合、展示不可通知画面（図３６）を通知する。
さらに展示モード設定手段３１５は展示モードがオンになった際に、被評価者により選択されたリアル表示名ＲＮを評価結果管理サーバ６に送信する。同サーバ６は、送られたリアル表示名ＲＮを当該システム会員（被評価者）に係るシステム会員登録情報６２０の展示中リアル表示名に格納する（図１０）。
同図１０の例ではシステム会員たる「春野さくら」について、登録済の３つのリアル表示名のうち「ａｐｒｉｌ」なるリアル表示名ＲＮが展示中リアル表示名（評価対象物ＯＢの展示にあたり評価者に公開するリアル表示名）として選択されている。
【０１０４】
展示モードのオン・オフを設定するための評価実行設定画面（図３５）内では「全システム会員に対して評価結果公開をするか」どうかの設定も可能となっている。
図４の展示モード設定手段３１５は、同図３５の「評価（展示）開始」ボタンないしは「評価（展示）終了」ボタンが押下された場合、「全システム会員に対する評価結果公開フラグ」の選択値（オンまたはオフ）を評価結果管理サーバ６に送信する。
「評価結果の公開が許可」されているアイテムを保有している場合、本システム１００に属するすべての端末（評価者端末２・被評価者端末３・登録端末５）それぞれにおいて評価結果参照者選択画面（図６５）に当該被評価者を表示することができる。
同画面（図６５）において表示を希望する被評価者を選択し「評価結果の管理者を選択」ボタンを押下すると、評価参照対象物選択画面（図６６）が表示される。
さらに同画面（図６６）において評価結果の表示を希望するアイテムを選択して「評価結果の表示」ボタンを押下すると、そのアイテムに対する評価結果（図５４）を評価者端末２においても閲覧できる。
なお評価実行設定画面（図３５）にて「全システム会員に対する評価結果公開が不可（オフ）」に設定されている場合であっても、被評価者本人に関しては自己が所有する全アイテムの評価結果を当然に参照可能であり、さらに本例では歴代移管元一覧画面（図３８）により評価参照権限の与えられた歴代移管元についても例外的に評価結果を参照可能である。
【０１０５】
図４の歴代移管元管理手段３１６は、移管申込承認手段３１３２が評価結果管理サーバ６に対してビーコン移管登録を要求するときに、移管先端末のビーコン登録移管依頼画面（図２６）を介して入力された「移管元（ビーコン登録された電波源ＩＤの譲渡側）に対して評価結果の評価参照権限を存続させるか」どうかの設定値を評価結果管理サーバ６に送信する。
上記ビーコン移管登録が行われると、電波源ＩＤの新所有者たる移管先に対して当然に評価参照権限が与えられるとともに、移管先の許可が得られている場合には元の所有者（移管元）においても評価結果の評価参照権限が維持される。
【０１０６】
また歴代移管元管理手段３１６は、歴代移管元参照画面（図３７）を表示する。
同手段３１６は、上記画面（図３７）においていずれか１つのアイテムが選択された状態で「歴代移管元の表示」ボタンが押下されると歴代移管元一覧画面（図３８）を表示する。
さらに歴代移管元管理手段３１６は図３８の「設定」ボタンが押下された場合、歴代移管元一覧画面（同図３８）を介して選択された評価参照権限の設定値（あり・なし）を評価結果管理サーバ６に送信する。これにより「個々の歴代移管元に対して評価参照権限を与えるか」どうかを設定できる。
被評価者が図３８の「設定」ボタンを押下することで、上記評価参照権限の設定値が評価結果管理サーバ６上の参照権限情報６２４（図１４）に反映（登録）される。
なお評価参照権限が与えられた歴代移管元の端末（被評価者端末３ないしは登録端末５）においては、評価参照アイテム選択画面（図６３）を表示可能となる。
同図６３の画面において評価結果の表示を希望するアイテムを選択して「評価結果の表示」ボタンを押下すると、そのアイテムに対しての評価結果（図５４、または図６４に示す統計情報など）を閲覧できる。同図６４においてはプルダウンメニューを用いて任意の展示期間を検索し、検索により得られた展示期間における評価結果を参照できる。
なお製品（評価対象物ＯＢ）の製造・流通に関わった企業（移管元）が当該製品の評価結果データを独自に加工したい場合は、当該製品の電波源ＩＤを自社の製品管理システム（図示略）に登録しておくことにより製品名を基にして「電波源ＩＤ」を取得し、本評価フィードバックシステム１００の評価対象設定情報６２３（図１３）に照会して同電波源ＩＤと対応付けされている現在の「アイテムＩＤ」を特定し、さらに同アイテムＩＤを以って参照権限情報６２４（図１４）を照合して参照が許可されていれば、アイテム評価登録情報６２５（図１５）のうち当該アイテムＩＤの評価結果データにアクセス可能とするＡＰＩ（アプリケーション・プログラム・インターフェース）を評価結果管理サーバ６に実装することもできる。
また移管履歴情報６２２（図１２）にアクセスできるＡＰＩも用意することで、過去に当該電波源ＩＤを所有していた被評価者が使用していたアイテムＩＤを特定し、過去の評価結果データを取得可能なように構成することもできる。
これらの上記ＡＰＩにより、企業側は独自の視点でのデータ活用が可能となる。
なお本システム１００では被評価者が自己所有するアイテム（評価対象物ＯＢ）を評価するだけでなく、「他人（貸与元）がすでにアイテム登録した評価対象物ＯＢ」を借受けた場合でも貸与先（借主である被評価者）において評価を受けることが可能である。
この場合、貸与元においては貸出対象のアイテムの存在を報せるビーコン発信器１の電波発信動作を停止（電源スイッチをオフ）しておく。また貸与先（借主たる被評価者）では、借受けたアイテムのアイテム登録を実行し、借主が所有する電波源ＩＤを用いて当該アイテムの展示を実行する。
このようにすることで貸与先（借主）においては貸与されたアイテムに対する評価結果を参照することができる。ただし上記手法によればアイテムの貸与元（貸主）については貸与先が登録したアイテムの歴代移管元に該当しない（貸与先が所有する電波源ＩＤの歴代移管元として参照権限情報６２４に登録されていない）ことから、自己が貸与したアイテムの評価結果を参照することはできない。
しかしながら本システム１００のビーコン移管は「電波源ＩＤに関する管理権の移転」であって、現実のビーコン発信器１所有権移転には影響を及ぼさない。
そのためアイテムの貸与（有償・無償）がなされる際に、アイテムの貸主がビーコン登録している電波源ＩＤについて貸主自らが移管元となり且つ「アイテムの借主が同電波源ＩＤの移管先」となって両者合意の上で一時的にビーコン移管をしておけば、アイテムに対する評価結果を貸主・借主双方ともに参照することが可能となる。
【０１０７】
つぎに登録端末５の電気的構成について説明する。
図６は、実施形態に係る登録端末５の電気的構成を示すブロック図である。
同図６のごとく本端末５は、タッチパネル（図示略）ないしはマウス（図示略）等のポインティングデバイスを含む入力部５３と、液晶ディスプレイ（図示略）等の出力部５４を備えている。
【０１０８】
また本端末５は、任意の演算処理を実行するＣＰＵ（中央処理装置）を含む制御部５１のほか、ハードディスクドライブ（ＨＤＤ）・ＲＯＭ・ＲＡＭ等を含む記憶部５２、各種信号あるいは情報の入出力経路をなす通信ポート（図示略）を含む通信部５５を備えている。
【０１０９】
図６の制御部５１は、ＣＰＵ・ＲＯＭ・ＲＡＭ等を有し、ＲＯＭ・記憶部５２に記憶されているアプリケーションプログラムをＲＡＭにロードして実行し、それにより各種の論理的手段を実現する。
本端末５では、ビーコン発信器製造者登録申請手段５１１、ビーコン登録申請手段５１２およびビーコン移管承認手段５１３が実現される。
【０１１０】
ビーコン発信器製造者登録申請手段５１１は、評価フィードバックシステム１００の運営主体から同システムにおける使用が認められた「特定機種のビーコン発信器１」の製造者に係る会員登録を評価結果管理サーバ６に対して申請する。
上記ビーコン発信器製造者は、システム会員登録画面（図１９）を介して「ビーコン登録を実行可能な特殊なシステム会員ＩＤの登録」を申請する。
【０１１１】
本例においてビーコン発信器製造者によるビーコン登録申請は、ビーコン登録画面（図２１）を介して行われる。
図６のビーコン登録申請手段５１２は、ビーコン登録画面（図２１）において任意の「ＣＳＶ（Comma Separated Values）形式ファイル」が選択された状態で「ビーコン登録要求」ボタンが押下された場合、ビーコン発信器製造者の「システム会員ＩＤ」と、ビーコン電波信号ＢＳに含まれる「電波源ＩＤ」と、製品情報キー（図２２）を含む「ビーコン製品情報ＢＣ」（既に同種類の製品が登録されているときは不要）とを評価結果管理サーバ６に送信することで「ビーコン登録要求」を行う（図２３・ステップＳ１１）。
上記ＣＳＶ形式ファイルは、各項目のデータ（被評価者のシステム会員ＩＤ、ビーコン電波信号ＢＳに含まれる電波源ＩＤなど）をカンマ記号で区切ったテキスト形式のファイルである。
このＣＳＶ形式ファイルは、評価結果管理サーバ６に対するビーコン登録要求に先立ってビーコン発信器製造者によりあらかじめ作成される。
なお同サーバ６は、登録端末５からビーコン登録申請された電波源ＩＤが未登録であることを確認した場合（図２３・ステップＳ１２）、同端末５から送信された電波源ＩＤとビーコン発信器製造者のシステム会員ＩＤを対応付けてビーコン登録情報６２１（図１１（ｂ））に登録する（図２３・ステップＳ１３）。
これによりビーコン登録すべきビーコン発信器１が大量に存在する場合でも、評価結果管理サーバ６側における一括登録が可能となる。
【０１１２】
図６のビーコン移管承認手段５１３は図７のように、他者申込通知手段５１３１と、移管申込承認手段５１３２と、移管用パスワード通知手段５１３３とに機能別に細分化されている。
【０１１３】
他者申込通知手段５１３１は、ビーコン発信器製造者が行ったビーコン登録について被評価者から移管の申込があった場合、ビーコン移管申込通知画面（図２７）を表示する。
【０１１４】
ビーコン登録の移管を承認する場合、ビーコン登録を行ったビーコン発信器製造者は上記画面（図２７）において「ビーコン移管設定画面へ」ボタンを押下する。
すると図７の移管申込承認手段５１３２は、ビーコン移管設定画面（図２８）を表示する。
さらに同手段５１３２は図２８の「ビーコン移管実行」ボタンが押下された場合、同図２８において入力された情報（移管元自身のシステム会員ＩＤに加え、電波源ＩＤ・アイテム画像・移管先のシステム会員ＩＤ・評価参照権限の有無）を評価結果管理サーバ６に送信することで、ビーコン移管登録を実行するよう同サーバ６に要求する（図２９・ステップＳ２６）。
【０１１５】
図７の移管用パスワード通知手段５１３３は、移管先による移管作業に先立って移管先となる被評価者端末３に対して移管用パスワードを通知する（図３２・ステップＳ２）。移管用パスワードの通知手法としては、移管先のシステム会員に対する移管用パスワードを含む電子メールの送信などが挙げられる。
なお評価結果管理サーバ６に対するビーコン登録移管要求は本来的に移管元本人の端末（移管元の被評価者端末３・登録端末５）からでなければ実行できないものの、移管先の端末が移管用パスワードを受領した場合には同パスワードを評価結果管理サーバ６に転送することで移管先端末からビーコン登録移管要求を行うことが特別に認められる（図３１、図３２・ステップＳ２７参照）。
【０１１６】
つぎに評価結果管理サーバ６の電気的構成について説明する。
図８は、実施形態に係る評価結果管理サーバ６の電気的構成を示すブロック図である。
同図８に示すように本サーバ６は、タッチパネル（図示略）ないしはマウス（図示略）等のポインティングデバイスを含む入力部６３と、液晶ディスプレイ（図示略）等の出力部６４を備えている。
【０１１７】
また本サーバ６は、任意の演算処理を実行するＣＰＵ（中央処理装置）を含む制御部６１のほか、ハードディスクドライブ（ＨＤＤ）・ＲＯＭ・ＲＡＭ等を含む記憶部６２、および、各種信号あるいは情報の入出力経路をなす通信ポート（図示略）を含む通信部６５を備えている。
【０１１８】
図８の制御部６１は、ＣＰＵ・ＲＯＭ・ＲＡＭ等を有し、ＲＯＭ・記憶部６２に記憶されているアプリケーションプログラムをＲＡＭにロードして実行し、それにより各種の論理的手段を実現する。
本サーバ６では、システム会員ＩＤ登録手段６１１、ビーコン登録手段６１２、ビーコン移管登録手段６１３、アイテム登録手段６１４、参照権限管理手段６１５、被評価者関連情報提供手段６１６、評価結果実行手段６１７、捕捉情報管理手段６１８および評価結果提供手段６１９が実現される。
【０１１９】
システム会員ＩＤ登録手段６１１は、被評価者・評価者を問わず評価フィードバックサービスを利用する全会員に対して、各会員を識別するためのシステム会員ＩＤをシステム会員登録情報６２０（図１０）に登録する。
なお本例においてシステム会員ＩＤはサービス加入時に必須であり、また原則的に評価フィードバックサービスに入会してから退会するまでの期間中不変となっている。
【０１２０】
上記登録情報６２０は、個々の会員に割振られたシステム会員ＩＤと、そのシステム会員ＩＤに関する属性の対応関係を指定する情報である。
図１０の例ではシステム会員登録情報６２０において、各会員を個々に識別するためのシステム会員ＩＤに対して、各会員のリアル表示名ＲＮ・展示中リアル表示名と各会員の属性（シンボル画像・プロフィール・ホームページＵＲＬ・各会員のＳＮＳハンドルネーム・特典・振込先など）が対応付けされている。
【０１２１】
ＳＮＳハンドルネームとは、評価フィードバックシステム１００へのログイン時に使用されたアカウントの発行元となったＳＮＳにおいて本システム１００の会員が使用している名称のことをいう。
本例では会員の信用性を向上できるよう、Ｆａｃｅｂｏｏｋ（登録商標）・Ｔｗｉｔｔｅｒ（登録商標）などの本人確認ずみのＳＮＳハンドルネームを所有していることを前提として同ＳＮＳに代行本人認証（ログイン）することで存在確認を行うこともできる。
そして会員のプライバシー保護が図られるよう本評価フィードバックシステム１００内部では、上記ＳＮＳハンドルネームとは異なる名称で会員が自己の好みに応じて任意かつ一意のシステム会員ＩＤを設定すればよい。
またシステム会員登録情報６２０（図１０）に登録された「振込先」とは、評価対象物に対する評価が「被評価者に対する実利」（経済的価値を有する報酬の評価者による支払）を伴う形式で行われる場合に、被評価者が当該報酬を受取るための支払先のことを指す。
報酬が金銭である場合、振込先は銀行名・支店名・口座番号などである。
また報酬がビットコイン（登録商標）をはじめとする仮想通貨である場合、振込先はビットコインアドレス（ビットコイン利用時における口座番号であり、公開鍵から生成される２７〜３４文字の英数字）が該当する。
図１７（ａ）において評価テンプレートＩＤ「Ｆｔｅｍｐｌａｔｅ０１」と対応付けられた評価テンプレート配置画像では、被評価者により０．０１ＢＴＣ、０．０２ＢＴＣ、０．０３ＢＴＣのいずれかの報酬額の選択が可能となっている。なお１ＢＴＣが６万円の場合、０．０１ＢＴＣは６００円の価額に相当する。
【０１２２】
図８のビーコン登録手段６１２は図９（ａ）のように、電波源ＩＤ重複判定手段６１２１と、登録手段６１２２とに機能別に細分化されている。
【０１２３】
電波源ＩＤ重複判定手段６１２１は、ビーコン登録申請操作をしたビーコン発信器製造者のシステム会員ＩＤと電波源ＩＤが登録端末５から送信されてきたときに「同電波源ＩＤがすでにビーコン登録されているか」どうかを判定する（図２３・ステップＳ１２）。
これにより、あるビーコン発信器製造者により既にビーコン登録ずみの電波源ＩＤについて別のビーコン発信器製造者から後発的にビーコン登録申請がなされた場合でも、上書きされて他人名義に書換えられてしまう事態や重複登録される事態を回避することができる。
【０１２４】
図９（ａ）の登録手段６１２２は、電波源ＩＤ重複判定手段６１２１により登録端末５から送信された電波源ＩＤが登録ずみでないと判定されたときに、同電波源ＩＤとビーコン登録申請操作をしたビーコン発信器製造者のシステム会員ＩＤを対応付けてビーコン登録情報６２１（図１１（ｂ））に登録（ビーコン登録）する（図２３・ステップＳ１３）。
【０１２５】
ビーコン登録情報６２１（図１１（ａ）〜図１１（ｃ））は、個々のビーコン発信器１に割振られた電波源ＩＤと、その電波源ＩＤに関する属性の対応関係を指定する情報である。
図１１（ａ）の例ではビーコン登録情報６２１において、各ビーコン発信器１を個々に識別するための電波源ＩＤと、各電波源ＩＤの属性（ビーコン発信器１の現所有者のシステム会員ＩＤ・登録年月日など）とが対応付けされている。
なおビーコン登録については、１人の被評価者ないしはビーコン発信器製造者（一意のシステム会員ＩＤを割当てられた会員）が複数の電波源ＩＤを登録することが可能である。ただし同一の電波源ＩＤについて、複数人の会員が重複してビーコン登録をすることはできない。
【０１２６】
図８のビーコン移管登録手段６１３は、移管元と移管先の両者間における「電波源ＩＤ移管に関する情報を管理」する。
ビーコン移管登録手段６１３は図９（ｂ）のように、所有者通知手段６１３１と、移管登録手段６１３２とに機能別に細分化されている。
【０１２７】
所有者通知手段６１３１は、ビーコン移管登録依頼操作をした被評価者のシステム会員ＩＤと電波源ＩＤが被評価者端末３から送信されてきたときに「同電波源ＩＤが本システム１００において他者（他の被評価者ないしはビーコン発信器製造者）により所有されているか」どうか（すなわち「本システム１００におけるビーコン登録の所有者」の有無）を判定する。
被評価者端末３から送信された電波源ＩＤが本システム１００において他者（他の被評価者ないしはビーコン発信器製造者）により所有されていると判定した場合、同通知手段６１３１は、その旨を被評価者端末３に通知する（図２９・ステップＳ２４ないしは図３２・ステップＳ２４）。
なお、この場合の「所有者」というのはビーコン発信器１から発信される電波源ＩＤを管理する「ビーコン管理者」のことであって、ビーコン発信器１に対して実世界での法的な所有権を有するビーコン所有者とは必ずしも一致する必要はない。
【０１２８】
図９（ｂ）の移管登録手段６１３２は、上記通知手段６１３１により所有者が存在すると判定された電波源ＩＤについて当該所有者（移管元となる、他の被評価者ないしはビーコン発信器製造者）自身によりビーコン移管登録が要求された場合、その電波源ＩＤに対して移転先の被評価者端末３から受信した被評価者のシステム会員ＩＤを対応付けて「移転登録」する（図２９・ステップＳ２８）。
また移管登録手段６１３２は、上記通知手段６１３１により所有者が存在すると判定された電波源ＩＤについてビーコン移管登録依頼操作をした移管先から「移管を希望する電波源ＩＤ・移管先のシステム会員ＩＤ・移管後における移管元の評価参照権限の有無」を受信した場合にも、移管先端末から送信された移管用パスワードが登録ずみのものと合致すれば、移管対象の電波源ＩＤに移管先のシステム会員ＩＤを対応付けてビーコン移管登録する（図３２・ステップＳ２８）。
【０１２９】
具体的には移管登録手段６１３２は、被評価者端末３から送信された情報（図２８の移管元自身のシステム会員ＩＤ、および同じく図２８の電波源ＩＤ・アイテム画像ＩＭ・移管先のシステム会員ＩＤ・評価参照権限の有無）のうち「移管先のシステム会員ＩＤと電波源ＩＤ」を、ビーコン登録情報６２１（図１１（ｃ））において更新（書換による移転登録）する。
また電波源ＩＤが移管された場合、移管登録手段６１３２は、移管元のシステム会員ＩＤと移管先のシステム会員ＩＤと移管された電波源ＩＤとを対応付けて移管履歴情報６２２（図１２）に追加登録する。当該履歴情報６２２の登録処理は、上述したビーコン移管登録処理（図２９・ステップＳ２８ないしは図３２・ステップＳ２８）の一環として行われる。
なお本例ではビーコン移管登録手段６１３によるビーコン移管がされるのと同時並行的に、アイテム登録手段６１４（図８）によるアイテム登録（ビーコン移管された電波源ＩＤと対応付けされているアイテムの登録）が被評価者によるアイテム登録操作を伴うことなく自動で行われる。
さらにアイテム登録手段６１４はアイテム登録画面（同図３３）を起動した被評価者端末３からの被評価者関連情報の送信要求に応じて、同情報（アイテムＩＤ（登録済の場合）・評価対象フラグ・アイテム画像ＩＭ・評価テンプレートＩＤ・評価テンプレート配置画像）を送信する（図３４・ステップＳ３２）。
アイテム登録手段６１４は、アイテムＩＤに「アイテム画像ＩＭ」と「評価対象フラグ」と「評価テンプレートＩＤ」を対応付けて評価対象設定情報６２３（図１３）に登録（アイテム登録）する。
「ビーコン移管と同時にアイテム自動登録」がされた場合、電波源ＩＤの移管先（アイテムの新たな所有者）は、評価結果管理サーバ６により自動登録されたアイテム登録内容（評価テンプレートＩＤ、デフォルト設定されたアイテム画像ＩＭ（旧アイテム所有者から引継いだアイテム画像））をアイテム登録画面（図３３）を介して表示し、自己が希望する評価テンプレートＩＤ・アイテム画像ＩＭに変更することができる。
またアイテム登録手段６１４は評価対象設定情報６２３にアイテム画像ＩＭを登録する際、アイテムＩＤを自動的に付与する。
このアイテムＩＤは「アイテム所有者のシステム会員ＩＤ」に「通番（当該会員内におけるもの。本例では数字）」を付加（結合）した文字列から構成される。ビーコン移管と同時にアイテム自動登録がされたときは、所有権が移転したアイテムのアイテムＩＤが「旧アイテム所有者（電波源ＩＤ移管元）のシステム会員ＩＤと通番」から「新アイテム所有者（電波源ＩＤ移管先）のシステム会員ＩＤと通番」へと書換えられる。
企業側は自社製品に関する「過去の評価結果を追跡」する際、自社製品の電波源ＩＤに基づいて評価結果（最新のもの）をいったん参照することでアイテムＩＤを取得し、同アイテムＩＤを以って参照権限情報６２４（図１４）を照合して評価参照権限が当該企業に与えられていれば、改めてアイテム評価登録情報６２５（図１５）を基に自社製品についての過去の評価結果を参照できる。
【０１３０】
アイテム登録手段６１４は、被評価者端末３から「アイテム登録・変更申請ならびに評価対象指定」（図３３）がされた場合、同端末３から送信されたアイテムＩＤにアイテム画像ＩＭと電波源ＩＤ（有する場合）を対応付けて評価対象設定情報６２３（図１３）にアイテム登録する。
なおアイテム登録をする際、アイテム登録手段６１４は個々の評価対象物ＯＢに対して固有の「アイテムＩＤ」（図１３）を自動的に割当てる。
アイテムＩＤがない場合、アイテム登録手段６１４は被評価者端末３から送られてきた被評価者のシステム会員ＩＤに通番を付加して新たに生成する。
【０１３１】
さらにアイテム登録手段６１４は、被評価者端末３から「アイテム登録・変更申請ならびに評価対象指定」（図３３）がされた場合、同端末３から送信された評価対象フラグの設定値（オンまたはオフ）と被評価者により選択された評価テンプレートＩＤについても評価対象設定情報６２３（図１３）に登録する。
【０１３２】
参照権限管理手段６１５は、電波源ＩＤの移管登録要求がなされたときに同電波源ＩＤならびに移管元・移管先双方のシステム会員ＩＤを移管時刻とともに対応付けて「移管履歴情報６２２」（図１２）に追加登録する。
また同手段６１５は、アイテム登録時に自動で割振られたアイテムＩＤと移管元のシステム会員ＩＤに対して評価参照権限の有無を対応付けて参照権限情報６２４（図１４）に追加登録する。
参照権限情報６２４（図１４）は、アイテム登録された評価対象物ＯＢに対する評価結果を参照できる会員を示す情報である。
上記手段６１５は、移管履歴情報６２２（図１２）における最新の移管先に評価参照権限を与えるとともに、参照権限情報６２４（図１４）において評価参照権限が許可された歴代移管元についても評価結果の参照を許可する。
【０１３３】
図８の被評価者関連情報提供手段６１６は、ビーコン登録情報６２１を参照することにより各電波源ＩＤのビーコン登録の有無を判定する（図４０・図４４のステップＳ４１４）。
ビーコン登録有無の判定処理は、評価者端末２から送信された電波源ＩＤのうちで本システム１００にビーコン登録されていないものを排除するために行われる。
【０１３４】
また同手段６１６は、電波源ＩＤについてビーコン登録がされていると判定した場合、システム会員登録情報６２０（図１０）を参照することにより同電波源ＩＤが属する被評価者について展示モードがオンかどうかを判定する（図４０・図４４のステップＳ４１５）。
展示モードの判定処理は、評価者端末２が検出したビーコン登録済みの電波源ＩＤのなかから、被評価者が評価対象物ＯＢの存在を知らせるために発信した電波源ＩＤだけを抽出するために行われる。
被評価者関連情報提供手段６１６は「展示モードがオンでない」と判定した場合、評価者端末２に対し被評価者の被評価者関連情報を提供することなく処理を終了する（図４０・ステップＳ４１６）。
【０１３５】
一方、「展示モードがオン」であると判定した場合、被評価者関連情報提供手段６１６は、評価者端末２が検知した電波源ＩＤを基にビーコン登録情報６２１（図１１（ｃ））を検索して「アイテム所有者のシステム会員ＩＤを特定」する。
続いて同手段６１６は、評価対象設定情報６２３（図１３）に登録されたアイテムのなかからアイテムＩＤの通番以外が「先の検索により特定したシステム会員ＩＤ」に一致するアイテムを特定する。
本例においてアイテムＩＤは「アイテム所有者のシステム会員ＩＤ」に「数字の通番」を加えた文字列から成るため、アイテムＩＤから通番を除外することで必然的に「アイテム所有者のシステムＩＤ」が特定されることになる。
さらに同手段６１６は、上記特定したアイテムの被評価者関連情報（アイテムＩＤ・アイテム画像ＩＭ・被評価者の展示中のリアル表示名ＲＮ・シンボル画像・アイテムＩＤに対応付けされた評価テンプレート配置画像の組合せ）を評価対象設定情報６２３（図１３）・評価テンプレート情報６２７（図１７（ａ））から抽出する。
そして同手段６１６は、上記被評価者関連情報を評価者端末２に提供（送信）する（図４４・ステップＳ４１７）。
ここで電波源ＩＤから評価対象物ＯＢ（アイテム）を直接的に特定しないのは、本システム１００では必ずしも評価対象物ＯＢが電波源ＩＤと対応付けられているとは限らないことによる。このような場合でも、電波源ＩＤからいったん電波源ＩＤの所有者のシステムＩＤを特定し（ビーコン登録情報６２１を利用）、さらに同所有者（被評価者）によって評価対象とされているアイテムの一覧（図４３の対象物評価入力画面）を表示して同一覧中から評価対象物ＯＢのアイテム画像ＩＭを選ぶことにより、電波源ＩＤと対応付けされていないアイテムに対する評価が実現される。
なお上記評価テンプレート情報６２７には、画面表示される評価テンプレート配置画像に加えて、評価者による選択箇所（番号等）を判定するための画像上の相対位置情報が含まれる。
さらに評価テンプレートがリスト選択形式の場合、同テンプレート情報６２７には項目名と選択項目名一覧が含まれる。
【０１３６】
図８の評価結果実行手段６１７は、評価者端末２から評価対象物ＯＢについての評価結果が転送されてきた場合、評価テンプレート情報６２７（図１７（ａ））に基づいてまず評価テンプレートの種別を判別する。
本例においては評価テンプレートＩＤ（図１７（ａ））の先頭文字が「実利を伴わない評価」と「実利（経済的価値を有する報酬の支払）を伴う評価」を判定するための識別子の役割を担っている。より具体的には、評価テンプレートＩＤの先頭文字「Ｈ」が実利を伴わない評価テンプレートを示し、評価テンプレートＩＤの先頭文字「Ｆ」が実利を伴う評価テンプレートを示している。
「実利に関係する種別」の場合（すなわち評価者端末２から転送された評価テンプレートＩＤの先頭文字列が「Ｆ」）、事前にシステム運営者が当該テンプレートに対応づけた動作（例えば、決済用ＡＰＩ（決済機関の提供するもの）を呼出して同ＡＰＩにより被評価者のプロフィールに記載の振込先・評価結果で選択された金額を読込み、評価者に対しログインならびに決済を促す動作など）を実行する。
「実利に無関係な種別」の場合（本例において評価テンプレートＩＤの先頭文字列が「Ｈ」）、同手段６１７は同対象物ＯＢの「評価結果」に対して同評価結果の「入力時刻情報」・同評価対象物ＯＢの「アイテムＩＤと電波源ＩＤ」（有する場合）・「評価者のシステム会員ＩＤ」を対応付けてアイテム評価登録情報６２５（図１５）に登録する。
なお同手段６１７は、評価者の承諾のもと評価者端末２の位置情報（即時評価時における経緯度ないしは一時捕捉時における経緯度）が評価者端末２から送信されてきた場合、これらについても評価結果に対応付けてアイテム評価登録情報６２５に登録する。
【０１３７】
アイテム評価登録情報６２５は、個々の評価対象物ＯＢと、その評価対象物ＯＢに関する属性（評価結果・評価結果の入力時刻など）の対応関係を指定する情報である。
アイテム評価登録情報６２５は、それぞれの評価対象物ＯＢに関する評価結果が各評価者からの回答ごとに分別して保持される。
本例では、以下のような各項目が保持される。
１）評価者のシステム会員ＩＤ：評価結果を入力した評価者を本システム１００内部（バーチャルな世界）において一意に識別するための識別子。システム会員ＩＤは、評価フィードバックサービス提供者と会員の間ないしは会員同士間のコミュニケーション用途に利用する。なお本項目は評価者が許可したときのみ、被評価者による参照が可能とする。
２）評価結果：評価対象物ＯＢに対して評価者が与えた評価指標の値。具体例としては、複数の段階的評価指標における評価数値（３点満点の段階評価において評価者が与えた点数）や、あらかじめ用意された選択肢（評価対象物ＯＢの性質を表す単語）のうちから評価者が選んだ回答などが挙げられる。
３）評価テンプレートＩＤ：評価対象物ＯＢの評価形式に個々に割当てられた識別番号。
４）評価結果の入力時刻：評価結果が評価者端末２において入力された時刻。
５）評価者端末の位置情報：評価者が即時評価を行う場合、評価者端末２を用いて評価結果の入力を行った時点での同端末２の位置情報。また評価者が事後評価を行った場合には、評価対象物ＯＢの一時捕捉を行った時点での同端末２の位置情報（捕捉当時位置情報）。なお位置情報は、緯度・経度情報とする。なお本項目は評価者が許可したときのみ、評価者端末２から取得・送信される。
【０１３８】
また評価結果実行手段６１７は、評価者端末２から被評価者に対する評価結果が転送されてきた際、テンプレート種別が実利性ある場合は対応する動作を実行する。
またテンプレート種別が実利性のないものであった場合、同手段６１７は評価結果と同評価結果の入力時刻情報を被評価者のアイテムＩＤに対応付けて総合評価登録情報６２６（図１６）に登録する。
総合評価登録情報６２６（図１６）では、評価対象物ＯＢを管理する被評価者ごとに分別されている。また図１６においては上述した評価者のシステム会員ＩＤ・アイテムＩＤ・評価結果・評価テンプレートＩＤ・評価結果の入力時刻・評価者端末２の緯度・経度（位置情報）に加えて、組合せ評価の参考情報として、同時に展示されていた他の展示アイテムＩＤも記録されている。
また被評価者自身を評価対象とするためのアイテムＩＤ（システム会員ＩＤに通番を付与して生成されるＩＤ）は、システム会員ＩＤに関わらず付与する通番を「００」など一番最初の番号とすることで他のアイテムのアイテムＩＤと容易に識別できる附番とする。
【０１３９】
図８の捕捉情報管理手段６１８は図９（ｃ）のように、捕捉情報登録手段６１８１と、捕捉情報提供手段６１８２とに機能別に細分化されている。
【０１４０】
捕捉情報登録手段６１８１は、評価者端末２が照会用ＩＤ一時格納領域２２０に保存した全電波源ＩＤ・捕捉時刻・評価者のシステム会員ＩＤ・評価者端末２の捕捉当時位置情報（評価者の承諾時）が同端末２から送信されてくると（図４８・ステップＳ５３）、そのうちの１つの電波源ＩＤについてビーコン登録情報６２１と照合する（図４８・図５０のステップＳ５４）。
この照合処理により同手段６１８１は、被評価者のシステム会員ＩＤを特定する（図５０・ステップＳ５１１）。
上記特定した被評価者の展示モードがオンであれば（図５０・ステップＳ５５；Ｙｅｓ）、捕捉情報登録手段６１８１は当該被評価者によりアイテム登録されたうち評価対象に指定されているアイテムのアイテムＩＤをすべて抽出する（図５０・ステップＳ５１２）。
【０１４１】
そして同手段６１８１は、（１）各評価者のシステム会員ＩＤに捕捉時刻および捕捉当時位置情報（評価者の承諾時）を対応させた上で（図１８参照）、（２）この捕捉時刻に対して、システム会員登録情報６２０・ビーコン登録情報６２１から特定した被評価者のシステム会員ＩＤ・被評価者の展示中のリアル表示名ＲＮ・シンボル画像を対応付けて捕捉情報６２８（図１８）に登録し、さらに（３）上記特定した各被評価者ごとに、捕捉時刻において展示されていた評価対象物のアイテムＩＤと評価テンプレートＩＤを対応付けて同捕捉情報６２８に登録する（図４８・図５０のステップＳ５６）。
【０１４２】
また捕捉情報登録手段６１８１は、評価者端末２において「カメラ捕捉」が行われ同端末２が照会用ＩＤ一時格納領域２２０に保存した全電波源ＩＤとともにスナップ画像ＰＴ・捕捉（撮影）時刻・捕捉当時位置情報（評価者の承諾時）・評価者のシステム会員ＩＤが同端末２から送信されてきた場合にも（図５７・ステップＳ７３）、そのうちの１つの電波源ＩＤについてビーコン登録情報６２１と照合して（図５７・図５９のステップＳ７４）、被評価者のシステム会員ＩＤを特定する（図５９・ステップＳ７１１）。
上記特定した被評価者の展示モードがオンであれば（図５９・ステップＳ７５；Ｙｅｓ）、捕捉情報登録手段６１８１は当該被評価者によりアイテム登録されたうち評価対象に指定されているアイテムのアイテムＩＤをすべて抽出する（図５９・ステップＳ７１２）。
同手段６１８１は、評価者端末２から受信したすべての電波源ＩＤについて照合が完了するまで順次、電波源ＩＤとビーコン登録情報６２１の照合を実行する（図５９・ステップＳ７１３）。
【０１４３】
そして同手段６１８１は、（１）各評価者のシステム会員ＩＤに捕捉時刻および捕捉当時位置情報（評価者の承諾時）を対応させた上で（図１８参照）、（２）同捕捉時刻に対してスナップ画像ＰＴを対応付けて登録し（図１８）、（３）同捕捉時刻に対してビーコン登録情報６２１を基に特定した被評価者のシステム会員ＩＤ・被評価者の展示中のリアル表示名ＲＮ・シンボル画像を対応付けて登録し、（４）上記特定した各被評価者ごとに、捕捉時刻において展示されていた評価対象物のアイテムＩＤと評価テンプレートＩＤを対応付けて捕捉情報６２８（図１８）に登録する（図５７・図５９のステップＳ７６）。
なお同手段６１８１は、評価者端末２により一時捕捉された電波源ＩＤの登録時に同電波源ＩＤに対して一定の標準事後評価期間をタイマ設定する。そのため評価者端末２が電波源ＩＤを一時捕捉してから一定の標準事後評価期間（例えば２日間）が徒過すると、評価者端末２における評価対象物ＯＢの事後検索ができなくなる。
【０１４４】
図９（ｃ）の捕捉情報提供手段６１８２は、評価者端末２により「電波源ＩＤの一時捕捉」が行われた後に同端末２から事後評価の開始（図５２・ステップＳ６１）が通知された場合、（１）評価者のシステム会員ＩＤに対応付けされた未評価の捕捉時刻（図１８）と、（２）同捕捉時刻において一時記録された被評価者の展示中のリアル表示名ＲＮ（図１８）・シンボル画像（図１８）と、（３）各被評価者により捕捉時刻にて展示されていた評価対象物ＯＢのアイテムＩＤ（図１３・図１８）から特定したアイテム画像ＩＭ（図１３）および評価テンプレートＩＤと、（４）上記評価テンプレートＩＤおよび同評価テンプレートＩＤ（図１７（ａ））を介して対応付けされた評価テンプレート配置画像（図１７（ａ））を評価者端末２に提供（送信）する（図５２・ステップＳ６２）。
【０１４５】
また捕捉情報提供手段６１８２は、評価者端末２により「カメラによる捕捉」が行われた後に同端末２から事後評価の開始（図６２・ステップＳ８１）が通知された場合、（１）評価者のシステム会員ＩＤに対応付けされた未評価の捕捉時刻（図１８）と、（２）同捕捉時刻に対応付けされたスナップ画像ＰＴと、（３）同捕捉時刻において一時記録された被評価者の展示中のリアル表示名ＲＮ（図１８）・シンボル画像（図１８）と、（４）各被評価者により捕捉時刻にて展示されていた評価対象物のアイテムＩＤ（図１３・図１８）から特定したアイテム画像ＩＭ（図１３）および評価テンプレートＩＤと、（５）上記評価テンプレートＩＤと、同評価テンプレートＩＤに対応付けされた評価テンプレート配置画像（図１７（ａ））とを評価者端末２に提供（送信）する（図６２・ステップＳ８２）。
【０１４６】
つぎに上記構成を有する評価フィードバックシステム１００の動作について説明する。
以下では、まずビーコン発信器製造者が「ビーコン登録」（ビーコン発信器１の電波源ＩＤ登録）をするときの各構成要素５・６の動作フローについて説明する。
【０１４７】
［図２３のステップＳ１１］
ビーコン登録申請を行う場合、ビーコン発信器製造者は登録端末５においてビーコン登録画面（図２１）を起動する。
また登録端末５は、ビーコン登録画面（図２１）において任意の「ＣＳＶ形式ファイル」が選択された状態で「ビーコン登録要求」ボタンが押下された場合、ＣＳＶ形式ファイル（ビーコン電波信号ＢＳ中の電波源ＩＤなどをカンマ記号で区切ったテキスト形式のファイル）ならびにビーコン製品情報ＢＣ（既に同種類の製品が登録されているときは不要）を評価結果管理サーバ６に送信することで「ビーコン登録要求」を行う（図２３・ステップＳ１１）。
ビーコン登録はビーコン発信器１の製品種別ごとに行うものとし、ＣＳＶの項目の並びは、既存機種の場合においては「電波源ＩＤ，電波源ＩＤ・・」、また新機種登録の場合においては「ビーコン製品情報、電波源ＩＤ，電波源ＩＤ・・」とする。
ビーコン発信器製造者のシステム会員ＩＤについては登録端末５がログイン情報から取得し、ＣＳＶファイルに付加して評価結果管理サーバ６に送信する。
なおビーコン製品情報ＢＣは電波源ＩＤスキャンの際に参照されるものであり、個別のビーコン発信器１とそれぞれ１台ごとに関連させる必要はない。すなわちビーコン製品情報ＢＣは、同一機種で且つ同一規格で動作するビーコン発信器１に対しては共通して使用される。
【０１４８】
［図２３のステップＳ１２］
評価結果管理サーバ６は、ビーコン登録申請操作をしたビーコン発信器製造者のシステム会員ＩＤと電波源ＩＤが登録端末５から送信されてきたときに「同電波源ＩＤがすでにビーコン登録されているか」どうかを判定する（ステップＳ１２）。
これによりビーコン発信器製造者によるビーコン発信器１の重複登録を回避している。
【０１４９】
［図２３のステップＳ１３］
評価結果管理サーバ６は、登録端末５から送信された電波源ＩＤが登録ずみでないと判定したときに、同電波源ＩＤとビーコン発信器製造者のシステム会員ＩＤを対応付けてビーコン登録情報６２１（図１１（ｂ））に新規に登録（ビーコン登録）する（ステップＳ１３）。これにより本システム１００におけるビーコン発信器１の電波源ＩＤ重複登録を回避している。
なおビーコン登録情報６２１が図１１（ａ）の状態にあるときにビーコン登録により１行分のエントリ（登録情報）が新規に追加された場合、図１１（ｂ）の登録状態に更新される。
以上で、ビーコン登録処理をするときの一連の動作が終了する。
なお評価結果管理サーバ６は、登録端末５から送られてきたビーコン製品情報ＢＣを受信した場合、そのビーコン製品情報ＢＣの全項目が評価結果管理サーバ６に登録済みのビーコン製品情報と完全同一ではないことを確認（照合）した上で、同受信したビーコン製品情報に適当なキー（通番など）を付与しビーコン製品情報ＢＣに保存する。
【０１５０】
つぎに「電波源ＩＤが他者によりすでに所有されている」ときに被評価者が「ビーコン移管登録」をするときの各構成要素１・３・５・６の動作フローについて説明する。
まず第１のケースとして、移管元の端末（先登録者の被評価者端末３ないしは登録端末５）側で移管要求を行う動作例について説明する。
【０１５１】
［図２９のステップＳ２０〜Ｓ２２］
図２９に示すようにビーコン発信器１は、電波源ＩＤを含むビーコン電波信号ＢＳを一定の時間間隔で発信している（ステップＳ２０）。
被評価者端末３はビーコン発信器１からビーコン電波信号ＢＳを受信したときに、周辺からの「ビーコン受信状況」ならびにビーコン電波信号ＢＳの「受信電波強度と近接登録時電波強度下限値の大小関係」を判定する（ステップＳ２１・Ｓ２２）。
【０１５２】
［図２９のステップＳ２３］
上記ステップＳ２１・Ｓ２２における条件判定の結果、特定の「１台のビーコン発信器１からのみビーコン電波信号ＢＳを受信」しており且つ同電波信号ＢＳの「受信電波強度が近接登録時電波強度下限値よりも大きい」場合、移管先（譲り受ける側）の被評価者端末３では電波源ＩＤのビーコン移管登録依頼を受付けるべくビーコン登録移管申込画面（図２５）が表示される。
さらに同図２５において「ビーコン移管登録申請」ボタンが押下されると、ビーコン電波信号ＢＳに含まれる電波源ＩＤについて評価結果管理サーバ６に対してビーコン移管申請が送信される（図２９・ステップＳ２３）。
【０１５３】
［図２９のステップＳ２４］
評価結果管理サーバ６は、電波源ＩＤについて「他者（他の被評価者ないしはビーコン発信器製造者）が先行的に所有しているかどうか」（本システム１００におけるビーコン登録の所有者の有無）を通知する（図２９・ステップＳ２４）。
ビーコン移管申請した電波源ＩＤの所有者が本システム１００のシステム会員のなかに存在しないことが同サーバ６から通知された場合、ビーコン移管申請を送信した被評価者端末３は「ビーコン登録が不存在」の旨（すなわちビーコン移管を希望したビーコン発信器１は、ビーコン発信器製造者によるビーコン登録がされておらず本システム１００において認定外のものである旨）を通知する（図２９・ステップＳ２５０）。
【０１５４】
［図２９のステップＳ２５］
ビーコン移管申請を行った電波源ＩＤが本システム１００において他者（他の被評価者ないしはビーコン発信器製造者）によりすでに所有されていることが同サーバ６から通知された場合、移管先の被評価者端末３は、ビーコン登録移管依頼画面（図２６）を介して移管先（ビーコン登録の現所有者たる、他の被評価者ないしはビーコン発信器製造者）に対しビーコン登録の移管を申込む（図２９・ステップＳ２５）。
なお同画面（図２６）では、ビーコン登録移管後においても移管元（電波源ＩＤの元のビーコン登録者）に対して「評価結果の参照権限を存続」させるかどうかも条件指定される。
【０１５５】
［図２９のステップＳ２６］
移管元（ビーコン登録を移管先へ譲り渡す先行的な所有者）の端末３ないしは５は、他者から移管の申込があった場合、ビーコン移管申込通知画面（図２７）を表示する。ビーコン登録の先所有者は、同画面（図２７）を介してビーコン登録の移管申込に対する可否（承諾もしくは拒否）を入力できる。
続けて移管元端末３ないしは５は、図２７の「ビーコン移管設定画面へ」ボタンが押下されるとビーコン移管設定画面（図２８）を表示する。
そして移管元端末３・５は、同画面（図２８）においてビーコン登録の先登録者による「ビーコン移管実行」ボタンの押下を検知すると、評価結果管理サーバ６に対してビーコン登録の移管を要求する（図２９・ステップＳ２６）。
なお移管元の端末は上記ビーコン移管登録を要求するときに、移管先端末のビーコン登録移管依頼画面（図２６）を介して入力された「移管元に対して評価結果の評価参照権限を存続させるか」どうかの設定値を評価結果管理サーバ６に送信する。
【０１５６】
［図２９のステップＳ２８］
評価結果管理サーバ６は、移管対象の電波源ＩＤに対して移管先（ビーコン登録の譲受人）のシステム会員ＩＤを対応付けてビーコン移転登録（ビーコン登録情報６２１における書換登録）する（図２９・ステップＳ２８）。
さらに本例では同サーバ６は、当事者（移管元と移管先）間の合意内容に応じて、移管元（元のビーコン登録者たる譲渡側）の評価参照権限を移管もしくは存続させるように設定を行う。
以上で、電波源ＩＤの移管登録を移管元の端末（先登録者の被評価者端末３・登録端末５）から要求するときの一連の動作が終了する。
【０１５７】
ビーコン移管登録時の第２のケースとして「移管先の端末（譲り受ける側の被評価者端末３）から移管要求」を行う動作例について説明する。
同ケースでは移管先の操作による電波源ＩＤの移管作業実行前に「あらかじめ移管元から移管先に対して移管用パスワードを通知しておく」ことにより、実際の移管作業時には移管元端末と何ら通信を行うことなく且つ移管元において何らの操作を伴うことなしに、移管先端末が単独で評価結果管理サーバ６とやり取り（通信）するだけで電波源ＩＤの移管を完遂できる。
このときの動作シーケンスは図３２に示すように、上述した図２９とほぼ同一である。
ただし移管先の被評価者端末３から移管要求を行う場合では図３２に示すように、移管要求の実施前に移管元承認の上、移管元端末３・５から移管先端末３に対して移管用パスワードが送信される（図３２・ステップＳ２）。同パスワードの送信手法としては、移管用パスワード情報を含む電子メールの送信が挙げられる。
そして移管先端末はビーコン移管設定画面（図３１）を介して移管元からあらかじめ通知された移管用パスワードが入力されると（図３２・ステップＳ２５１）、移管元からあらかじめ通知された移管用パスワードを評価結果管理サーバ６に送信するとともに、移管登録を評価結果管理サーバ６に要求する（図３２・ステップＳ２７）。
移管元から通知された移管用パスワードを送信することで、本来移管元により行われるべき「評価結果管理サーバ６に対するビーコン登録の移管要求」（図２９・ステップＳ２６）を、移管先（ビーコン登録の譲受人）の端末から行うことが可能になる。
なお本機能（移管先端末３から移管要求を実行する機能）は、ある移管元から多数の移管先に対して電波源ＩＤの移管を行うときに、当該移管元の移管負荷を軽減するためのものである。
例えば企業が電波源のついた商品を大量に配布して移管を行う場合（ビーコン発信器１が雑誌の付録として大量に販売されたとき等）やビーコン発信器製造者がＥＣ（Electronic Commerce：電子商取引）経由でビーコン発信器１を販売した場合、購入者のみに事前に移管用パスワードを通知しておき、個々の購入者（移管先）がそれぞれに移管処理を行うようにすれば、企業側（移管元）の移管負荷を大幅に軽減することが可能となる。
上述した購入者（移管先）に対する移管用パスワード通知は「電子メール送信」や「紙媒体の配布」（ビーコン製品を購入者あてに送付した箱に、パスワードを記した紙媒体を同梱する等）といった購入者だけが知ることのできる秘匿性の高い配布手法により、ビーコン電波信号ＢＳの送信に先立って行われる。
【０１５８】
［図３２のステップＳ２８］
評価結果管理サーバ６は上記移管用パスワードが登録ずみのものと合致すれば、電波源ＩＤに対して移管先のシステム会員ＩＤを新たに対応付けて登録（書換による移転登録）する（図３２・ステップＳ２８）。
さらに本例では同サーバ６は、当事者（譲渡側と譲受側）間の合意内容に応じて、移管元（電波源ＩＤの譲渡側）の評価参照権限の有無を設定する。
なお移管先が「評価参照権限あり」（すなわち移管元に評価参照権限を存続させるパターン）を指定してビーコン移管した場合において特典があるときは、評価結果管理サーバ６から移管元に対して移管先のシステム会員ＩＤが通知されるため（図３２・ステップＳ２９）、移管元は同移管先に対して特典の提供を実施する。
以上で、電波源ＩＤの移管登録を移管先端末（譲受人の被評価者端末３）から要求するときの一連の動作が終了する。
【０１５９】
つぎに被評価者が「評価対象物ＯＢのアイテム登録」をするときの各構成要素３・６の動作フローについて説明する。
［図３４のステップＳ３１］
被評価者端末３はアイテム登録画面（図３３）が起動されたときに図３４のように、被評価者について登録されている被評価者関連情報の送信を評価結果管理サーバ６に対して要求する（図３４・ステップＳ３１）。
評価結果管理サーバ６は被評価者端末３からの上記送信要求に応じて「登録済みの被評価者関連情報」（アイテムＩＤ・評価対象フラグ・アイテム画像ＩＭ・評価テンプレートＩＤ・テンプレート配置画像）を送信する（図３４・ステップＳ３２）。
すると同端末３は、評価結果管理サーバ６から受信した被評価者に関する被評価者関連情報（評価対象フラグ・アイテム画像ＩＭ・評価テンプレートＩＤ・評価テンプレート配置画像）をアイテム登録画面（図３３）に表示する（図３４・ステップＳ３３）。
なお図３３の画面例では被評価者が任意の評価テンプレートＩＤをプルダウンメニューから選択した場合、その評価テンプレートＩＤの下に同テンプレートＩＤに対応する評価テンプレート配置画像が参照用に表示される。これにより被評価者は任意の評価テンプレートＩＤをメニューから選択した際に、自らが使おうとしている評価テンプレートの形態を視認することができる。
［図３４のステップＳ３４Ａ・Ｓ３５Ａ］
さらに同図３３の「アイテム登録・変更申請ならびに評価対象指定」ボタンが押下されたときに登録対象のアイテムにアイテムＩＤが付与されていない場合には、アイテム登録画面（図３３）を介して入力された情報（評価対象フラグ・評価テンプレートＩＤ・アイテム画像ＩＭ）が「被評価者のシステム会員ＩＤ」とともに被評価者端末３から送信され（図３４・ステップＳ３４Ａ）、評価結果管理サーバ６は当該システム会員ＩＤおよび通番からアイテムＩＤを生成したのちに同「アイテムＩＤに対してアイテム画像ＩＭ・評価対象フラグ・評価テンプレートＩＤを対応付け」て評価対象設定情報６２３（図１３）に登録する（図３４・ステップＳ３５Ａ）。
なお上記ステップＳ３５ＡにおいてアイテムＩＤは、被評価者端末３から送信された「被評価者のシステム会員ＩＤに、任意の通番（数字）を付加（結合）」することで容易に生成できる。
［図３４のステップＳ３４Ｂ・Ｓ３５Ｂ］
また図３３の「アイテム登録・変更申請ならびに評価対象指定」ボタンが押下されたときに登録対象のアイテムにアイテムＩＤが付与されている場合には、アイテム登録画面（同図３３）を介して変更された評価対象フラグ・評価テンプレートＩＤないしはアイテム画像ＩＭがアイテムＩＤとともに被評価者端末３から送信され（図３４・ステップＳ３４Ｂ）、評価結果管理サーバ６は変更された評価対象フラグ・評価テンプレートＩＤないしはアイテム画像ＩＭをアイテムＩＤと対応付けて評価対象設定情報６２３（図１３）に登録する（図３４・ステップＳ３５Ｂ）。
以上で、評価対象物ＯＢをアイテム登録するときの一連の動作が終了する。
なおアイテム登録画面（図３３）では、アイテムの新規登録機能と、既存のアイテム登録の設定変更機能の両方が利用可能となっている。
アイテム登録画面（図３３）内のアイテム画像ＩＭが表示されている段は登録済の既存アイテムに関する情報であり、評価対象フラグ・評価テンプレートＩＤなどの設定変更が可能である。
また同画面（図３３）最下段に配置された設定欄では、電波源を有していないアイテムの新規登録が可能となっている。
【０１６０】
つぎに評価者端末２がビーコン電波信号ＢＳを検知した際に、被評価者端末３側で「展示モードがオフ」に設定されているときの各構成要素１・２・３・６の動作フローについて説明する。
【０１６１】
［図４０のステップＳ４１０・Ｓ４１１］
ビーコン発信器１は、評価対象物ＯＢ（例えば、物品・人物・ペット等）の管理者の存在を示すべく、電波源ＩＤを含むビーコン電波信号ＢＳを一定の時間間隔で発信している（ステップＳ４１０）。
ここで被評価者端末３側において「展示モードがオフ」に設定されているものとする（図４０・ステップＳ４１１）。
【０１６２】
［図４０のステップＳ４１２・Ｓ４１３］
評価者端末２は、ビーコン信号スキャンモードがオン（図３９）に設定されると（図４０・図４５のステップＳ４１２）、本システム１００において認定された全種類のビーコン発信器１について図２２のビーコン製品情報ＢＣ（全部または更新部）をダウンロードならびに保存した上で、先にダウンロードしたなかからある特定種類のビーコン製品情報ＢＣを選択し、当該選択した特定種類のビーコン製品情報ＢＣ（図２２）に基づき指定周波数帯においてチャネル（本例ではアドバタイジングチャネル）をスキャンする（図４５・ステップＳ４０２）。このチャネルスキャン動作は、ダウンロードした全てのビーコン製品情報ＢＣについて逐次行われる。
そしてビーコン発信器１を所持した被評価者が評価者の近く（電波を遮る障害物のない環境では同発信器１から半径１００メートル程度の範囲内）に接近すると、上記スキャンによりビーコン電波信号ＢＳが検知される。
評価者端末２は、チャネルのスキャンにより検知した全ビーコン電波信号ＢＳのうち「評価時スキャン電波強度下限値」以上の電波源ＩＤをすべて抽出して照会用ＩＤ一時格納領域２２０に保存する（図４５・ステップＳ４０３）とともに、照会用ＩＤ一時格納領域２２０に保存した全電波源ＩＤを評価結果管理サーバ６に送信する（図４０・図４５のステップＳ４１３）。
【０１６３】
［図４０のステップＳ４１４〜Ｓ４１６］
評価結果管理サーバ６は、ビーコン登録情報６２１を参照することにより評価者端末２から送信された各電波源ＩＤの「ビーコン登録の有無を判定」する（図４０・ステップＳ４１４）。
ビーコン登録（評価者端末２が検知したビーコン電波信号ＢＳに含まれる電波源ＩＤの登録）の有無が照合されることにより、本評価フィードバックサービスに登録されていないビーコン発信器１を本システム１００の仕組から排除できる。
同サーバ６は電波源ＩＤについてビーコン登録がされていると判定した場合、システム会員登録情報６２０（図１０）を参照することで同電波源ＩＤが属する被評価者について「展示モードがオンかどうか」を判定する（図４０・ステップＳ４１５）。
そして評価結果管理サーバ６は「展示モードがオンでない」と判定した場合、評価者端末２に対し被評価者の被評価者関連情報を提供することなく処理を終了する（図４０・ステップＳ４１６）。
【０１６４】
つぎに被評価者端末３側で「展示モードがオン」に設定されている際に、評価者端末２において「即時評価」を行うときの各構成要素１・２・３・６の動作フローについて説明する。
【０１６５】
［図４４のステップＳ４１１〜Ｓ４１３］
ここでは被評価者端末３側において「展示モードがオン」に設定される（図４４・ステップＳ４１１）。
一方で評価者端末２は、図４０のステップＳ４１２と同等の処理を実行し、照会用ＩＤ一時格納領域２２０に保存した全電波源ＩＤを評価結果管理サーバ６に送信する（図４４・図４５のステップＳ４１３）。
【０１６６】
［図４４のステップＳ４１４・Ｓ４１５］
評価結果管理サーバ６は、評価者端末２から送信された各電波源ＩＤの「ビーコン登録の有無」を判定する（図４４・ステップＳ４１４）。これにより評価者端末２から送信された電波源ＩＤのうちで本システム１００に「ビーコン登録されていないものを排除」できる。
また評価結果管理サーバ６は上記判定の結果、ビーコン登録がされていると判定した電波源ＩＤについて、当該電波源ＩＤが属する被評価者により「展示モードがオンされているかどうか」を判定する（図４４・ステップＳ４１５）。これにより評価者端末２が検出したビーコン登録済みの電波源ＩＤのなかから、被評価者が「評価対象物ＯＢの存在を知らせるために発信した電波源ＩＤ」だけを抽出することができる。
【０１６７】
［図４４のステップＳ４１７］
評価結果管理サーバ６は「展示モードがオンである」と判定した場合、評価者端末２に対し被評価者の被評価者関連情報（アイテムＩＤ、被評価者の展示中のリアル表示名ＲＮとシンボル画像、アイテムＩＤに対応付けされたアイテム画像ＩＭ・同アイテムＩＤに対応付けされた評価テンプレート配置画像の組合せ）を提供する（図４４・ステップＳ４１７）。
【０１６８】
評価者端末２は、評価対象物ＯＢの管理者が近くに存在する旨を評価者に通知する（図４４・ステップＳ４１８）。
さらに評価者端末２は対象物通知画面（図４１）において「被評価者一覧の表示」ボタンが評価者により押下されたときに（図４４・ステップＳ４１９）、評価結果管理サーバ６から提供された「被評価者関連情報」（被評価者の展示中のリアル表示名ＲＮと、被評価者のシンボル画像と、同被評価者がサーバ登録したアイテム画像ＩＭ）をリスト表示する（図４４・ステップＳ４２０）。
図４２に示す被評価者一覧画面の例では、被評価者の展示中のリアル表示名ＲＮとして「ａｐｒｉｌ」と「ｓｐｒｉｎｇ」の２つが表示されている。
【０１６９】
［図４４のステップＳ４２１］
被評価者一覧画面（図４２）においてはリスト表示された被評価者のなかからいずれか１人の被評価者を選択することが可能となっており、いずれか１人の被評価者を選択した状態で同画面（図４２）内の「評価結果の入力（すぐに評価）」ボタンを押下することにより、対象物評価入力画面（図４３）に移る。
なお評価者端末２は対象物評価入力画面（図４３）において、先に選択された被評価者に対応するアイテム画像ＩＭと評価テンプレート配置画像を表示する（図４４・ステップＳ４２１）。
上記画面（図４３）では、各アイテム画像ＩＭごとに異なる評価方式（評価テンプレート）を利用することが可能となっている。例えば同図４２のＩＭ−２については段階指定する評価形式ではなく、評価内容を自然語（「クール」「かわいい」など）の選択肢のなかから選ぶことが可能となっている。
【０１７０】
［図４４のステップＳ４２２］
そして評価者端末２は図４２の「評価結果の転送」ボタンが押下された場合（即時評価）、対象物評価入力画面（同図４３）を介して入力された評価結果を評価結果管理サーバ６へ送信する（図４４・ステップＳ４２２）。さらに同端末２は、当該評価結果とともに同評価結果の入力時刻情報・評価対象物ＯＢの属する電波源ＩＤ・同対象物ＯＢのアイテムＩＤ・評価テンプレートＩＤ・評価者のシステム会員ＩＤ・評価者端末２の位置情報（評価者の承諾時）も併せて送信する。
なお評価結果管理サーバ６は評価テンプレートの種別を判別し、当該種別に対応した動作を実行する。
本説明例では評価テンプレートの種別が「実利に無関係な種別」であるため、同サーバ６は評価者端末２から転送されてきた評価結果をアイテム評価登録情報６２５（図１５）ないしは総合評価登録情報６２６（図１６）に登録する。
なお評価テンプレートの種別が「実利に関係する種別」であれば、事前にシステム運営者が当該テンプレートに対応づけた任意の動作（決済用ＡＰＩの呼出による評価者に決済を促す動作など）が実行される。
以上で、即時評価をするときの一連の動作が終了する。
【０１７１】
従来、企業活動に影響を与えるエンドユーザ（流通過程の末端にいる消費者）レベルの流行の把握は、製品の流通過程における製造段階・販売段階の各段階ごとに個別に行うことが必要とされていた。
しかしながら本評価フィードバックシステム１００を利用すれば、評価結果を評価参照権限の所有者（評価対象物ＯＢを管理する被評価者・同対象物ＯＢを製造したメーカなど）ごとに参照できる。
そのため製品に対する評価を、当該製品を所有する最終消費者のみならず、それ以外の第三者の視点も含めて、同製品の製造・流通各段階の市場関係者がリアルタイムに共有・参照することができる。例えば、衣料品の小売店が販売促進のために雇用したモデルが被評価者である場合には評価結果を基に衣服・装身具などのコーディネートを改善して売上を伸ばしたり、またメーカが評価を参考に、製品デザインや品質改良に活用することができる。
【０１７２】
つぎに「電波源ＩＤの一時捕捉」時における各構成要素２・６の動作フローについて説明する。
【０１７３】
［図４８のステップＳ５０〜Ｓ５２］
評価者端末２はスキャンモード設定画面（図４６）において「電波源ＩＤの一時捕捉（事後評価）」ボタンの押下を検出すると、本システム１００において認定された全種類のビーコン発信器１についてビーコン製品情報ＢＣ（全部または更新部分）のダウンロードならびに保存を実行する（図４８・図４９のステップＳ５０）。
その後、先にダウンロードしたなかからある特定種類のビーコン製品情報ＢＣを選択し、当該選択した特定種類のビーコン製品情報ＢＣに基づき「指定周波数帯におけるチャネルをスキャン」する（図４８・図４９のステップＳ５１）。このチャネルスキャン動作は、ダウンロードした全てのビーコン製品情報ＢＣについて逐次行われる。
なお被評価者の移動や評価者端末２周辺の環境変化に伴ってビーコン電波信号ＢＳの受信状態が変動した場合、同端末２によって検知される電波源ＩＤは随時変化する。
続いて評価者端末２は「評価時スキャン電波強度下限値」以上のビーコン電波信号ＢＳから電波源ＩＤをすべて抽出し、照会用ＩＤ一時格納領域２２０に保存（一時捕捉）する（図４８・図４９のステップＳ５２）。
これにより受信電波強度が評価時スキャン電波強度下限値よりも大きなビーコン電波信号のうち、登録されたビーコン製品情報ＢＣ（図２２）に合致する電波源ＩＤのみが抽出される。
【０１７４】
［図４８のステップＳ５３］
また評価者端末２は、照会用ＩＤ一時格納領域２２０に保存した全電波源ＩＤと、捕捉時刻と、捕捉当時位置情報（評価者の承諾が得られているとき）と、評価者のシステム会員ＩＤを評価結果管理サーバ６に送信する（図４８・図４９のステップＳ５３）。
【０１７５】
［図４８のステップＳ５４］
評価結果管理サーバ６は、評価者端末２が照会用ＩＤ一時格納領域２２０に保存した全電波源ＩＤ・捕捉時刻・捕捉当時位置情報（評価者の承諾時）・評価者のシステム会員ＩＤが同端末２から送信されてくると図４８ないしは図５０の処理を適宜実行する。
すなわち評価結果管理サーバ６は、評価者端末２から送信された各電波源ＩＤについて「ビーコン登録の有無」を判定する（図４８・図５０のステップＳ５４）。
これにより評価者端末２が送信した電波源ＩＤのなかから、本システム１００にビーコン登録されていないものを排除できる。
［図４８のステップＳ５５］
また同サーバ６は上記判定（ステップＳ５４）の結果、ビーコン登録されていると判定した電波源ＩＤについて、当該電波源ＩＤが属する被評価者により「展示モードがオンされているかどうか」を判定する（図４８・図５０のステップＳ５５）。
これにより評価者端末２が検出したビーコン登録済みの電波源ＩＤのなかから、被評価者が「評価対象物ＯＢの存在を知らせるために発信した電波源ＩＤ」だけを抽出することができる。
［図４８のステップＳ５６］
さらに評価結果管理サーバ６は、（１）各評価者のシステム会員ＩＤに捕捉時刻および捕捉当時位置情報（評価者の承諾時）を対応させ、（２）この捕捉時刻に対して、システム会員登録情報６２０・ビーコン登録情報６２１から特定した被評価者のシステム会員ＩＤ・被評価者の展示中のリアル表示名ＲＮ・シンボル画像を対応付けて捕捉情報６２８（図１８）に登録し、さらに（３）上記特定した各被評価者ごとに、捕捉時刻において展示されていた評価対象物のアイテムＩＤと評価テンプレートＩＤを対応付けて同捕捉情報６２８に登録する（図４８・図５０のステップＳ５６）。
以上で「電波源ＩＤを一時捕捉（一時記録）」するときの一連の動作が終了する。
上記電波源ＩＤの一時捕捉は、評価者が評価対象物ＯＢに遭遇した際に「評価を行っている時間的余裕がない」もしくは「被評価者の展示中のリアル表示名ＲＮやシンボル画像を特定している余裕のない」ときに、評価対象物ＯＢの評価者の存在を示す電波源ＩＤを一時的に記録しておき、評価対象物ＯＢを事後的に特定して評価するために行われる。
【０１７６】
続いて「電波源ＩＤの一時捕捉」後に事後評価を行うときの各構成要素２・６の動作フローについて説明する。
【０１７７】
［図５２のステップＳ６１］
評価者端末２は、事後評価開始画面（図５１）において「事後評価の実行」ボタンが押下されたときに、事後評価を開始する旨を評価結果管理サーバ６に通知する（図５２・ステップＳ６１）。
【０１７８】
［図５２のステップＳ６２］
評価結果管理サーバ６は上記事後評価の開始通知に応じて、（１）評価者のシステム会員ＩＤに対応付けされた未評価の捕捉時刻（図１８）と、（２）同捕捉時刻において一時記録された被評価者の展示中のリアル表示名ＲＮ（図１８）・シンボル画像（図１８）と、（３）各被評価者により捕捉時刻にて展示されていた評価対象物のアイテムＩＤ（図１３・図１８）から特定したアイテム画像ＩＭ（図１３）および評価テンプレートＩＤと、（４）上記評価テンプレートＩＤおよび同評価テンプレートＩＤ（図１７（ａ））を介して対応付けされた評価テンプレート配置画像（図１７（ａ））とを評価者端末２に提供（送信）する（図５２・ステップＳ６２）。
【０１７９】
［図５２のステップＳ６３・Ｓ６４］
すると評価者端末２は、図５３に例示するごとく被評価者の展示中のリアル表示名ＲＮ・アイテムＩＤに対応付けられたアイテム画像ＩＭ・シンボル画像を年月日時分秒順にリスト表示する（図５２・ステップＳ６３）。
続いて評価者端末２は、被評価者検索画面（図５３）のリスト中から選択された被評価者に対応する対象物評価入力画面（図４３に示す評価テンプレート配置画像付のアイテム画像ＩＭ）を表示する（図５２・ステップＳ６４）。
同評価画面（図４３）が画面表示されると、電波源ＩＤの一時捕捉をしたケースにおける評価結果の事後的な入力（図５２・ステップＳ６５）が可能になる。
【０１８０】
［図５２のステップＳ６５］
評価者端末２は、対象物評価入力画面（図４３）において評価対象物ＯＢに対する評価結果の入力操作（「評価結果の転送」ボタンの押下）がなされると（事後評価）、同対象物ＯＢの「アイテムＩＤならびに評価結果」・評価者の「システム会員ＩＤ」を評価結果管理サーバ６に自動転送する（図５２・ステップＳ６５）。
評価結果管理サーバ６は、上記端末２から転送されてきた評価結果を登録する。
以上で、電波源ＩＤの一時捕捉後に事後評価を行うときの一連の動作が終了する。
なお本例では評価者のシステム会員ＩＤは評価結果管理サーバ６に転送されるものの、同評価者の許可が得られていない場合、被評価者をはじめ他のシステム会員は当該評価者を特定する形態では同評価者のシステム会員ＩＤを参照できない。
【０１８１】
つぎに電波源ＩＤの一時捕捉に加えて「評価対象物のカメラ撮影」も行ったときの各構成要素２・５の動作フローについて説明する。
【０１８２】
［図５７のステップＳ７０］
評価者端末２はスキャンモード設定画面（図５５）において「カメラ（事後評価）」ボタンが押下された場合、カメラ捕捉画面（図５６）を表示する。
同端末２は、図５６の「シャッター（スナップ画像の撮影）」ボタンが押下された場合、カメラ２６によりスナップ画像ＰＴ（評価対象物ＯＢが写り込んだ画像）を撮像する（図５７・ステップＳ７０）。
【０１８３】
［図５７のステップＳ７１・Ｓ７２］
さらに同端末２は、図５７・図５８のステップＳ７１の処理（ビーコン製品情報ＢＣについての指定周波数帯におけるチャネルスキャン）をダウンロードした全ビーコン製品情報ＢＣについて繰返し実行（図５８・ステップＳ７０３）することで得られたうち「評価時スキャン電波強度下限値」以上のビーコン電波信号ＢＳから電波源ＩＤをすべて抽出し、照会用ＩＤ一時格納領域２２０に保存する（図５７・図５８のステップＳ７２）。
【０１８４】
［図５７のステップＳ７３］
また評価者端末２は、照会用ＩＤ一時格納領域２２０に保存した全電波源ＩＤと、スナップ画像ＰＴと、スナップ画像ＰＴの捕捉（撮影）時刻と、捕捉（撮影）当時位置情報（評価者の承諾時）と、評価者のシステム会員ＩＤを評価結果管理サーバ６に送信する（図５７・図５８のステップＳ７３）。
【０１８５】
［図５７のステップＳ７４］
評価結果管理サーバ６は、評価者端末２が照会用ＩＤ一時格納領域２２０に保存した全電波源ＩＤ・スナップ画像ＰＴ・捕捉（撮影）時刻・捕捉当時位置情報（評価者の承諾時）・評価者のシステム会員ＩＤが同端末２から送信されてくると図５７ないしは図５９の処理を適宜実行する。
すなわち評価結果管理サーバ６は、評価者端末２から送信された各電波源ＩＤについて「ビーコン登録の有無」を判定する（図５７・図５９のステップＳ７４）。
これにより評価者端末２が送信した電波源ＩＤのなかから、本システム１００にビーコン登録されていないものを排除できる。
［図５７のステップＳ７５］
また同サーバ６は上記判定（ステップＳ７４）の結果、ビーコン登録されていると判定した電波源ＩＤについて、当該電波源ＩＤが属する被評価者により「展示モードがオンされているかどうか」を判定する（図５７・図５９のステップＳ７５）。
これにより評価者端末２が検出したビーコン登録済みの電波源ＩＤのなかから、被評価者が「評価対象物ＯＢの存在を知らせるために発信した電波源ＩＤ」だけを抽出することができる。
［図５７のステップＳ７６］
評価結果管理サーバ６は、（１）各評価者のシステム会員ＩＤに捕捉時刻・捕捉当時位置情報（評価者の承諾時）を対応させた上で（図１８参照）、（２）同捕捉時刻に対してスナップ画像ＰＴを対応付けて登録し（図１８）、（３）同捕捉時刻に対して、ビーコン登録情報６２１を基に特定した被評価者のシステム会員ＩＤ・被評価者の展示中のリアル表示名ＲＮ・シンボル画像を対応付けて登録し、（４）上記特定した各被評価者ごとに、捕捉時刻において展示されていた評価対象物のアイテムＩＤと評価テンプレートＩＤを対応付けて捕捉情報６２８（図１８）に登録する（図５７・図５９のステップＳ７６）。
以上で「評価対象物のカメラ撮影とともに電波源ＩＤを一時捕捉」するときの一連の動作が終了する。
評価者端末２側において、評価結果管理サーバ６からダウンロードしたビーコン製品情報ＢＣを基に指定周波数帯においてチャネルスキャンした場合（図５７・ステップＳ７１）、ビーコン製品情報ＢＣと同一仕様の下に発信されたものの本システム１００においてビーコン登録されていない電波源ＩＤが紛れ込むおそれがある。
このような可能性を排除するために評価結果管理サーバ６においては、図５７・ステップＳ７３の評価者端末２側の処理により送信された全電波源ＩＤが本システム１００においてビーコン登録されたものであるかどうか判定した上で（同図５７・ステップＳ７４）、ステップＳ７６の登録処理を実行している。
【０１８６】
続いて「評価対象物のカメラ撮影とともに電波源ＩＤを一時捕捉」した後に、事後評価を行うときの各構成要素２・６の動作フローについて説明する。
【０１８７】
［図６２のステップＳ８１］
評価者端末２は、事後評価開始画面（図５１）において「事後評価の実行」ボタンが押下されたときに、事後評価を開始する旨を評価結果管理サーバ６に通知する（図６２・ステップＳ８１）。
【０１８８】
［図６２のステップＳ６２］
評価結果管理サーバ６は上記事後評価の開始通知に応じて、（１）評価者のシステム会員ＩＤに対応付けされた未評価の捕捉時刻（図１８）と、（２）同捕捉時刻に対応付けされたスナップ画像ＰＴと、（３）同捕捉時刻において一時記録された被評価者の展示中のリアル表示名ＲＮ（図１８）・シンボル画像（図１８）と、（４）各被評価者により捕捉時刻にて展示されていた評価対象物のアイテムＩＤ（図１８）から特定したアイテム画像ＩＭ（図１３）および評価テンプレートＩＤと、（５）上記評価テンプレートＩＤと、同評価テンプレートＩＤに対応付けされた評価テンプレート配置画像（図１７（ａ））とを評価者端末２に提供（送信）する（図６２・ステップＳ８２）。
【０１８９】
［図６２のステップＳ８３・Ｓ８４］
評価者端末２は、評価結果管理サーバ６からスナップ画像ＰＴが送信されてきた場合、図６０に例示するごとくスナップ画像ＰＴを年月日時分秒順にリスト表示する（図６２・ステップＳ８３）。
さらに評価者端末２は、いずれか１つの撮影時刻（捕捉時刻）が選択された状態で図６０の「撮影時刻（捕捉時刻）の選択」ボタンが押下された場合、図６１に例示するごとく被評価者の展示中のリアル表示名ＲＮ・アイテムＩＤに対応付けられたアイテム画像ＩＭ・シンボル画像を年月日時分秒順にリスト表示する（図６２・ステップＳ８４）。
【０１９０】
評価者端末２は、上記画面（図６１）のリスト中から選択された被評価者に対応する対象物評価入力画面（図４３に示す評価テンプレート配置画像付のアイテム画像）を表示する（図６２・ステップＳ８５）。
そして同端末２は、対象物評価入力画面（図４３）において「評価結果の転送」ボタンが押下されると（事後評価）、同対象物ＯＢの「アイテムＩＤならびに評価結果」・評価者の「システム会員ＩＤ」を評価結果管理サーバ６に自動転送する（図６２・ステップＳ８６）。さらに評価者端末２は、同評価結果の入力時刻情報も評価結果管理サーバ６に送信する（同ステップＳ８６）。
評価結果管理サーバ６は、評価テンプレートの種別を判別し、当該種別に対応した動作を実行する。
本説明例では評価テンプレートの種別が「実利に無関係な種別」であるため、同サーバ６は上記端末２から転送されてきた評価結果を登録する。
また評価テンプレートの種別が「実利に関係する種別」であれば、事前にシステム運営者が当該テンプレートに対応づけた任意の動作（決済動作など）が実行される。
以上で「評価対象物のカメラ撮影とともに電波源ＩＤを一時捕捉」した後における事後評価の一連の動作が終了する。
【０１９１】
以上説明したように本発明によれば、無指向性のビーコン発信器１固有の電波源ＩＤを被評価者と対応付けておき、被評価者がビーコン発信器１を評価対象物ＯＢの近傍に設置することで、現実世界において評価者が実際の評価対象物ＯＢを簡単に見つけ出して即座に評価できるようなスキームが実現される。
また本評価フィードバックシステム１００を適用すれば、店内にいる評価者が評価者端末２上で評価アプリを起動するとその店内に陳列されている商品の一覧表がリスト表示され、一覧表のなかから任意の商品をタップすることで同商品を評価することも実現可能となる。
さらに、このような利用シーンと類似のシーンとして、各種施設（例えば美術館・博物館など）の評価、オブジェの評価、展示物の評価についても適用することができる。この場合、各種施設・オブジェ・展示物そのものが評価対象物ＯＢとなるため、各種施設・オブジェ・展示物の内部や近傍に適宜ビーコン発信器１を設置・保持すればよい。
【０１９２】
なお本システム１００において評価者は、ビーコン発信器１がついていないアイテム（評価対象物ＯＢ）についても評価することが可能である。
このようなビーコン発信器１が設置されていないアイテムを見つけ出す場合、まず（１）少なくとも１つは存在するビーコン発信器１（電波源ＩＤ）を検知し（図４１）、続いて（２）その電波源ＩＤの保有者（被評価者）を特定し（図４２）、さらに（３）同保有者が展示しているアイテム画像ＩＭを評価者端末２上に表示し（図４３）、最終的に（４）評価対象物ＯＢを特定することになる。
すなわちビーコン発信器１が設置されていない評価対象物ＯＢを特定する場合、当初の段階における検索キーとしては電波源ＩＤを使用し、途中からはアイテムＩＤ（図４２のアイテム画像ＩＭ）を検索キーとして使用する。
【０１９３】
なお本実施形態ではアプリケーションを任意の多機能電子装置に導入することにより、本発明の特徴的な各種機能を付加することができ上記評価者端末２ないしは被評価者端末３を構成可能である。
また本実施形態によれば多機能電子装置に専用アプリケーションをインストールするだけで、安価に、また簡易かつ短時間で同端末２・３を構成できる。
これら評価者機能および被評価者機能は、同一の多機能電子装置に実装してもよい。
【０１９４】
ここで多機能電子装置としては、スマートフォン、タブレット端末、ウェアラブル端末（眼鏡型端末・腕時計型端末など）またはＰＣ（Personal Computer）等を採用することもできる。
画像処理時はＣＰＵに対しかなりの処理負担がかかるものの、スマートフォンやタブレット端末であれば処理性能が日進月歩の勢いで飛躍的に向上しており、ビーコン受信処理・各種画面の表示処理を実行する際にも快適な動作速度を担保できる。
また携帯型の多機能電子装置であれば、携行性というメリットを備えるがゆえに被評価者が都合のつくときにアイテム登録や評価対象設定を行うことができ、さらに評価対象物ＯＢに遭遇した評価者も気軽に評価結果を入力することができる。
なお被評価者は評価対象物ＯＢ展示の際に、必ずしもこれらの多機能電子装置から構成された被評価者端末３を携帯する必要はなく、本システム１００に登録済みのビーコン発信器１を最低１個携帯するだけでよい。
【０１９５】
［変形例：評価者端末２］
本実施形態の評価フィードバックシステム１００においては評価者による誤評価（評価対象物ＯＢの混同）を避けるため、評価者の移動（評価者端末２の位置変化）に伴う電波受信強度に応じて、同端末２が評価対象物ＯＢに対して相対的に遠ざかっているか若しくは近づいているかを表示するように構成してもよい。
【０１９６】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【符号の説明】
【０１９７】
１  ビーコン発信器
２  評価者端末
３  被評価者端末
４  基地局
５  登録端末
６  評価結果管理サーバ
１００  評価フィードバックシステム
２００  公衆通信回線
【図１】
2018063459.tif 000003
【図２】
2018063459.tif 000004
【図３】
2018063459.tif 000005
【図４】
2018063459.tif 000006
【図５】
2018063459.tif 000007
【図６】
2018063459.tif 000008
【図７】
2018063459.tif 000009
【図８】
2018063459.tif 000010
【図９】
2018063459.tif 000011
【図１０】
2018063459.tif 000012
【図１１】
2018063459.tif 000013
【図１２】
2018063459.tif 000014
【図１３】
2018063459.tif 000015
【図１４】
2018063459.tif 000016
【図１５】
2018063459.tif 000017
【図１６】
2018063459.tif 000018
【図１７】
2018063459.tif 000019
【図１８】
2018063459.tif 000020
【図１９】
2018063459.tif 000021
【図２０】
2018063459.tif 000022
【図２１】
2018063459.tif 000023
【図２２】
2018063459.tif 000024
【図２３】
2018063459.tif 000025
【図２４】
2018063459.tif 000026
【図２５】
2018063459.tif 000027
【図２６】
2018063459.tif 000028
【図２７】
2018063459.tif 000029
【図２８】
2018063459.tif 000030
【図２９】
2018063459.tif 000031
【図３０】
2018063459.tif 000032
【図３１】
2018063459.tif 000033
【図３２】
2018063459.tif 000034
【図３３】
2018063459.tif 000035
【図３４】
2018063459.tif 000036
【図３５】
2018063459.tif 000037
【図３６】
2018063459.tif 000038
【図３７】
2018063459.tif 000039
【図３８】
2018063459.tif 000040
【図３９】
2018063459.tif 000041
【図４０】
2018063459.tif 000042
【図４１】
2018063459.tif 000043
【図４２】
2018063459.tif 000044
【図４３】
2018063459.tif 000045
【図４４】
2018063459.tif 000046
【図４５】
2018063459.tif 000047
【図４６】
2018063459.tif 000048
【図４７】
2018063459.tif 000049
【図４８】
2018063459.tif 000050
【図４９】
2018063459.tif 000051
【図５０】
2018063459.tif 000052
【図５１】
2018063459.tif 000053
【図５２】
2018063459.tif 000054
【図５３】
2018063459.tif 000055
【図５４】
2018063459.tif 000056
【図５５】
2018063459.tif 000057
【図５６】
2018063459.tif 000058
【図５７】
2018063459.tif 000059
【図５８】
2018063459.tif 000060
【図５９】
2018063459.tif 000061
【図６０】
2018063459.tif 000062
【図６１】
2018063459.tif 000063
【図６２】
2018063459.tif 000064
【図６３】
2018063459.tif 000065
【図６４】
2018063459.tif 000066
【図６５】
2018063459.tif 000067
【図６６】
2018063459.tif 000068
【図６７】
2018063459.tif 000069